(57)【特許請求の範囲】
【請求項１】
バッグ本体に取り付けられる、提げ手部材を支持する提げ手の構造であって、
長手方向を有する帯状の提げ手部材は、長手方向に延びる両長手端縁を合わせて断面略Ｃ字型アーチ状に成形され、
前記提げ手部材は、両長手端縁の間に、バッグ本体より上方に向けて提げ手部材を立ち上げるための支持部材を介装され、
前記支持部材は、長手方向を有する帯状体であって、少なくともその上部が両長手端縁を合わせて断面略Ｃ字型アーチ状に成形された重ね合わせ領域と、該重ね合わせ領域より下方にのびる支持領域と、該支持領域より下方に形成された固着領域とを備え、
前記支持部材は、重ね合わせ領域の両手長手端縁を、断面略Ｃ字型アーチ状に成形された提げ手部材の両長手端縁の間に介装され、
前記支持部材は、提げ手部材の頂部とは反対側に支持部材の頂部が位置するように対向して、支持部材の重ね合わせ領域と提げ手部材の重ね合わせ領域とを縫合されて、連結され、
前記支持部材は、支持領域が少なくとも前記重ね合わせ領域の近傍においては断面略Ｃ字型ないしは略Ｕ字型アーチ状を形成し、支持領域より下方の固着領域において、バッグ本体に固着され、
前記提げ手部材は、バッグ本体に固着された前記支持部材の固着領域より下方にのび、提げ手部材の固着領域においてバッグ本体に固着された、
バッグの提げ手の構造。
【請求項２】
支持部材は、複数の帯状体を積層され、且つ、積層された帯状体をその幅においてわん曲されて断面略Ｃ字型アーチ状の重ね合わせ領域を形成された、請求項１に記載のバッグの提げ手の構造。
【請求項３】
前記提げ手部材は、わん曲領域と、該わん曲領域の両端に続いて形成された重ね合わせ領域と、該重ね合わせ領域に続いて形成された架設領域と、該架設領域に続いて形成された固着領域とを備え、
わん曲領域と、重ね合わせ領域と、架設領域の前記重ね合わせ領域に続く近傍とを、断面略Ｃ字型アーチ状に形成された、請求項１又は２に記載のバッグの提げ手の構造。
【請求項４】
バッグ本体に取り付けられる、提げ手部材を支持する提げ手の構造であって、
長手方向を有する帯状の提げ手部材は、長手方向に延びる両長手端縁を合わせて断面略Ｃ字型アーチ状に成形され、
前記提げ手部材は、両長手端縁の間に、バッグ本体より上方に向けて提げ手部材を立ち上げるための支持部材を介装され、
前記支持部材は、長手方向を有する帯状体であって、少なくともその上部が両長手端縁を合わせて断面略Ｃ字型アーチ状に成形された重ね合わせ領域と、該重ね合わせ領域より下方にのびる支持領域と、該支持領域より下方に形成された固着領域とを備え、
前記支持部材は、重ね合わせ領域の両手長手端縁を、断面略Ｃ字型アーチ状に成形された提げ手部材の両長手端縁の間に介装され、
前記支持部材は、提げ手部材の頂部とは反対側に支持部材の頂部が位置するように対向して、支持部材の重ね合わせ領域と提げ手部材の重ね合わせ領域とを縫合されて、連結され、
前記支持部材は、支持領域が少なくとも前記重ね合わせ領域の近傍においては断面略Ｃ字型ないしは略Ｕ字型アーチ状を形成し、支持領域より下方の固着領域において、バッグ本体に固着され、
前記提げ手部材は、重ね合わせ領域より下方にのび、下方にのびた部分の提げ手部材の固着領域においてバッグ本体に固着された、
バッグの提げ手の構造。
【請求項５】
支持部材は、複数の帯状体を積層され、且つ、積層された帯状体をその幅においてわん曲されて断面略Ｃ字型アーチ状の重ね合わせ領域を形成された、請求項４に記載のバッグの提げ手の構造。
【請求項６】
前記支持部材は、重ね合わせ領域と、該重ね合わせ領域に続いて形成された支持領域と、該支持領域に続いて形成された固着領域とを備え、
重ね合わせ領域と、支持領域の前記重ね合わせ領域に続く近傍とを、断面略Ｃ字型アーチ状に形成された、請求項４又は５に記載のバッグの提げ手の構造。
【請求項７】
提げ手部材を、わん曲領域と、一方の重ね合わせ領域及び他方の重ね合わせ領域と、一方の架設領域及び他方の架設領域の前記重ね合わせ領域に続く近傍とを、断面略Ｃ字型アーチ状に形成し、
帯状体の幅方向における中央において、折り重ねた部分を内側にしてわん曲させ、帯状体の長手方向に延びる一方の長手端縁と帯状体の長手方向に延びる他方の長手端縁とを閉じ合わせ、前記一方の長手端縁及び前記他方の長手端縁より内側を外側方向すなわち折り重ね部分とは反対に膨出させるようにわん曲させて、前記一方の長手端縁と前記他方の長手端縁とを縫合してなる閉合部と、前記一方の長手端縁及び前記他方の長手端縁に続く膨大部及び膨大部と、頂部とを形成して提げ手部材を成形する、提げ手部材成形ステップと、
帯状体の幅方向における中央において、帯状体を内側にしてわん曲させ、帯状体の長手方向に延びる一方の長手端縁と帯状体の長手方向に延びる他方の長手端縁とを閉じ合わせ、前記一方の長手端縁と前記他方の長手端縁より内側を外側方向すなわち帯状体側に膨出させるようにわん曲させて、前記一方の長手端縁と前記他方の長手端縁とを縫合してなる閉合部と、前記一方の長手端縁及び前記他方の長手端縁に続く膨大部及び膨大部と、帯状体が幅方向における中央においてわん曲された状態の支持領域の頂部とを形成して、支持部材を成形する、支持部材成形ステップと、
前記提げ手部材の、一方の架設領域及び他方の架設領域における帯状体の両長手端縁の間すなわち帯状体の長手方向に延びる一方の長手端縁と帯状体の長手方向に延びる他方の長手端縁との間に、バッグ本体より上方に向けて提げ手部材を立ち上げるために、提げ手部材の重ね合わせ領域の両手長手端縁すなわち一方の長手端縁及び他方の長手端縁を、提げ手部の一方の重ね合わせ領域及び他方の重ね合わせ領域に沿って一方の重ね合わせ領域と他方の重ね合わせ領域との間に介装する、支持部材介装ステップと、
提げ手部材の頂部とは反対側に支持部材の頂部が位置するように対向して、支持部材の重ね合わせ領域と提げ手部材の一方の重ね合わせ領域及び他方の重ね合わせ領域とを縫合して支持部材を提げ手部材に連結する、支持部材連結ステップと、
前記支持部材を、支持領域が少なくとも前記重ね合わせ領域の近傍においては断面略Ｃ字型ないしは略Ｕ字型アーチ状に成形し、支持領域より下方の固着領域において、バッグ本体に固着する、支持部材の固着ステップと、
前記提げ手部材を、バッグ本体に固着された前記支持部材の固着領域より下方にのばし、提げ手部材の一方の固着領域及び他方の固着領域においてバッグ本体に固着する、提げ手部材の固着ステップとを含む、バッグの提げ手の取り付け方法。
【請求項８】
バッグ本体に取り付けられる、提げ手部材を支持する提げ手の構造であって、
バッグ本体を構成する前胴部及び後胴部に、それぞれ提げ手部材を取り付けられ、
長手方向を有する帯状の提げ手部材は、長手方向に延びる両長手端縁を合わせて断面略Ｃ字型アーチ状に成形され、
前記提げ手部材は、両長手端縁の間に、バッグ本体より上方に向けて提げ手部材を立ち上げるための支持部材を介装され、
前記支持部材は、長手方向を有する帯状体であって、わん曲領域において両長手端縁を合わせて断面略Ｃ字型アーチ状に成形された重ね合わせ領域と、該重ね合わせ領域より下方にのびる支持領域と、該支持領域より下方に形成された固着領域とを備え、
前記支持部材は、重ね合わせ領域の両手長手端縁を、断面略Ｃ字型アーチ状に成形された提げ手部材の両長手端縁の間に介装され、
前記支持部材は、提げ手部材の頂部とは反対側に支持部材の頂部が位置するように対向して、支持部材の重ね合わせ領域と提げ手部材の重ね合わせ領域とを縫合されて、連結され、
前記支持部材は、支持領域が少なくとも前記重ね合わせ領域の近傍においては断面略Ｃ字型ないしは略Ｕ字型アーチ状を形成し、支持領域より下方の固着領域において、バッグ本体に固着され、
前記提げ手部材は、バッグ本体に固着された前記支持部材の固着領域より下方にのび、提げ手部材の固着領域においてバッグ本体に固着され、
前胴部及び後胴部に取り付けられた提げ手部材のうち、一方の提げ手部材のわん曲領域には、磁石片が内設され、他方の提げ手部材のわん曲領域には磁性体片及び／又は磁石片が内設され、
重ねられた一方の提げ手部材の少なくとも頂上と他方の提げ手部材の少なくとも頂上とは引き寄せられて引っ着くように形成された、バッグの提げ手の構造。
【請求項９】
長手方向を有する帯状の提げ手部材は、帯状体の幅方向における中央において、帯状体を内側にしてわん曲させ、長手方向に延びる一方の長手端縁と他方の長手端縁とを閉じ合わせ、わん曲された領域と閉じ合わせた領域との間において、一方の提げ手部材の磁石片の平面と他方の提げ手部材の磁性体片又は磁石片の平面とが拡がるように内設され、重ねられた一方の提げ手部材の磁石片の平面と他方の提げ手部材の磁性体片又は磁石片の平面とが略々平行になるように形成された、請求項８に記載のバッグの提げ手の構造。
【発明の詳細な説明】
【技術分野】
【０００１】
本発明は、手提げ鞄や肩掛けバッグ等のバッグの提げ手の構造及びその取り付け方法に関する。
【背景技術】
【０００２】
手提げ鞄や肩掛けバッグ等の提げ手は、例えば、特許第４４３０７３４号（特許文献１）に開示された持ち手取付構造を提案されている。
【０００３】
特許文献１の持ち手取付構造は、持ち手を、外側持ち手部と内側持ち手部とを接合して形成してあり、外側持ち手部の先端部を身頃の表面に取り付け、内側持ち手部の先端部を、身頃と上マチ部との間に挟み込みながら取り付けてあることを特徴とするものであり、耐久性に優れ、カバンを長年に渡り使用できるものと説明されている。
【先行技術文献】
【特許文献】
【０００４】
【特許文献１】特許第４４３０７３４号公報
【発明の概要】
【発明が解決しようとする課題】
【０００５】
しかし、特許文献１の持ち手取付構造は、持ち手が身頃の上部に取り付けられているので、バッグを持ち上げる度に、身頃と上マチ部とが引き寄せられることになり、身頃が伸びてしまうおそれがあった。そして、持ち手が外方に向けて倒れ易く、身頃も変形させるおそれがある。
【０００６】
それゆえに、本発明の目的は、提げ手が倒れにくく、所定の形状を保つことができる提げ手の構造及びその取り付け方法を提供することである。
【課題を解決するための手段】
【０００７】
この発明の請求項１にかかるバッグの提げ手の構造は、バッグ本体に取り付けられる、提げ手部材を支持する提げ手の構造であって、
長手方向を有する帯状の提げ手部材は、長手方向に延びる両長手端縁を合わせて断面略Ｃ字型アーチ状に成形され、
前記提げ手部材は、両長手端縁の間に、バッグ本体より上方に向けて提げ手部材を立ち上げるための支持部材を介装され、
前記支持部材は、長手方向を有する帯状体であって、少なくともその上部が両長手端縁を合わせて断面略Ｃ字型アーチ状に成形された重ね合わせ領域と、該重ね合わせ領域より下方にのびる支持領域と、該支持領域より下方に形成された固着領域とを備え、
前記支持部材は、重ね合わせ領域の両手長手端縁を、断面略Ｃ字型アーチ状に成形された提げ手部材の両長手端縁の間に介装され、
前記支持部材は、提げ手部材の頂部とは反対側に支持部材の頂部が位置するように対向して、支持部材の重ね合わせ領域と提げ手部材の重ね合わせ領域とを縫合されて、連結され、
前記支持部材は、支持領域が少なくとも前記重ね合わせ領域の近傍においては断面略Ｃ字型ないしは略Ｕ字型アーチ状を形成し、支持領域より下方の固着領域において、バッグ本体に固着され、
前記提げ手部材は、バッグ本体に固着された前記支持部材の固着領域より下方にのび、提げ手部材の固着領域においてバッグ本体に固着された、
バッグの提げ手の構造である。
この発明の請求項２にかかるバッグの提げ手の構造は、支持部材は、複数の帯状体を積層され、且つ、積層された帯状体をその幅においてわん曲されて断面略Ｃ字型アーチ状の重ね合わせ領域を形成された、請求項１に記載のバッグの提げ手の構造である。
この発明の請求項３にかかるバッグの提げ手の構造は、前記提げ手部材は、わん曲領域と、該わん曲領域の両端に続いて形成された重ね合わせ領域と、該重ね合わせ領域に続いて形成された架設領域と、該架設領域に続いて形成された固着領域とを備え、
わん曲領域と、重ね合わせ領域と、架設領域の前記重ね合わせ領域に続く近傍とを、断面略Ｃ字型アーチ状に形成された、請求項１又は２に記載のバッグの提げ手の構造である。
この発明の請求項４にかかるバッグの提げ手の構造は、バッグ本体に取り付けられる、提げ手部材を支持する提げ手の構造であって、
長手方向を有する帯状の提げ手部材は、長手方向に延びる両長手端縁を合わせて断面略Ｃ字型アーチ状に成形され、
前記提げ手部材は、両長手端縁の間に、バッグ本体より上方に向けて提げ手部材を立ち上げるための支持部材を介装され、
前記支持部材は、長手方向を有する帯状体であって、少なくともその上部が両長手端縁を合わせて断面略Ｃ字型アーチ状に成形された重ね合わせ領域と、該重ね合わせ領域より下方にのびる支持領域と、該支持領域より下方に形成された固着領域とを備え、
前記支持部材は、重ね合わせ領域の両手長手端縁を、断面略Ｃ字型アーチ状に成形された提げ手部材の両長手端縁の間に介装され、
前記支持部材は、提げ手部材の頂部とは反対側に支持部材の頂部が位置するように対向して、支持部材の重ね合わせ領域と提げ手部材の重ね合わせ領域とを縫合されて、連結され、
前記支持部材は、支持領域が少なくとも前記重ね合わせ領域の近傍においては断面略Ｃ字型ないしは略Ｕ字型アーチ状を形成し、支持領域より下方の固着領域において、バッグ本体に固着され、
前記提げ手部材は、重ね合わせ領域より下方にのび、下方にのびた部分の提げ手部材の固着領域においてバッグ本体に固着された、
バッグの提げ手の構造である。
この発明の請求項５にかかるバッグの提げ手の構造は、支持部材は、複数の帯状体を積層され、且つ、積層された帯状体をその幅においてわん曲されて断面略Ｃ字型アーチ状の重ね合わせ領域を形成された、請求項４に記載のバッグの提げ手の構造である。
この発明の請求項６にかかるバッグの提げ手の構造は、前記支持部材は、重ね合わせ領域と、該重ね合わせ領域に続いて形成された支持領域と、該支持領域に続いて形成された固着領域とを備え、
重ね合わせ領域と、支持領域の前記重ね合わせ領域に続く近傍とを、断面略Ｃ字型アーチ状に形成された、請求項４又は５に記載のバッグの提げ手の構造である。
この発明の請求項７にかかるバッグの提げ手の構造は、提げ手部材を、わん曲領域と、一方の重ね合わせ領域及び他方の重ね合わせ領域と、一方の架設領域及び他方の架設領域の前記重ね合わせ領域に続く近傍とを、断面略Ｃ字型アーチ状に形成し、
帯状体の幅方向における中央において、折り重ねた部分を内側にしてわん曲させ、帯状体の長手方向に延びる一方の長手端縁と帯状体の長手方向に延びる他方の長手端縁とを閉じ合わせ、前記一方の長手端縁及び前記他方の長手端縁より内側を外側方向すなわち折り重ね部分とは反対に膨出させるようにわん曲させて、前記一方の長手端縁と前記他方の長手端縁とを縫合してなる閉合部と、前記一方の長手端縁及び前記他方の長手端縁に続く膨大部及び膨大部と、頂部とを形成して提げ手部材を成形する、提げ手部材成形ステップと、
帯状体の幅方向における中央において、帯状体を内側にしてわん曲させ、帯状体の長手方向に延びる一方の長手端縁と帯状体の長手方向に延びる他方の長手端縁とを閉じ合わせ、前記一方の長手端縁と前記他方の長手端縁より内側を外側方向すなわち帯状体側に膨出させるようにわん曲させて、前記一方の長手端縁と前記他方の長手端縁とを縫合してなる閉合部と、前記一方の長手端縁及び前記他方の長手端縁に続く膨大部及び膨大部と、帯状体が幅方向における中央においてわん曲された状態の支持領域の頂部とを形成して、支持部材を成形する、支持部材成形ステップと、
前記提げ手部材の、一方の架設領域及び他方の架設領域における帯状体の両長手端縁の間すなわち帯状体の長手方向に延びる一方の長手端縁と帯状体の長手方向に延びる他方の長手端縁との間に、バッグ本体より上方に向けて提げ手部材を立ち上げるために、提げ手部材の重ね合わせ領域の両手長手端縁すなわち一方の長手端縁及び他方の長手端縁を、提げ手部の一方の重ね合わせ領域及び他方の重ね合わせ領域に沿って一方の重ね合わせ領域と他方の重ね合わせ領域との間に介装する、支持部材介装ステップと、
提げ手部材の頂部とは反対側に支持部材の頂部が位置するように対向して、支持部材の重ね合わせ領域と提げ手部材の一方の重ね合わせ領域及び他方の重ね合わせ領域とを縫合して支持部材を提げ手部材に連結する、支持部材連結ステップと、
前記支持部材を、支持領域が少なくとも前記重ね合わせ領域の近傍においては断面略Ｃ字型ないしは略Ｕ字型アーチ状に成形し、支持領域より下方の固着領域において、バッグ本体に固着する、支持部材の固着ステップと、
前記提げ手部材を、バッグ本体に固着された前記支持部材の固着領域より下方にのばし、提げ手部材の一方の固着領域及び他方の固着領域においてバッグ本体に固着する、提げ手部材の固着ステップとを含む、バッグの提げ手の取り付け方法である。
この発明の請求項８にかかるバッグの提げ手の構造は、バッグ本体に取り付けられる、提げ手部材を支持する提げ手の構造であって、
バッグ本体を構成する前胴部及び後胴部に、それぞれ提げ手部材を取り付けられ、
長手方向を有する帯状の提げ手部材は、長手方向に延びる両長手端縁を合わせて断面略Ｃ字型アーチ状に成形され、
前記提げ手部材は、両長手端縁の間に、バッグ本体より上方に向けて提げ手部材を立ち上げるための支持部材を介装され、
前記支持部材は、長手方向を有する帯状体であって、わん曲領域において両長手端縁を合わせて断面略Ｃ字型アーチ状に成形された重ね合わせ領域と、該重ね合わせ領域より下方にのびる支持領域と、該支持領域より下方に形成された固着領域とを備え、
前記支持部材は、重ね合わせ領域の両手長手端縁を、断面略Ｃ字型アーチ状に成形された提げ手部材の両長手端縁の間に介装され、
前記支持部材は、提げ手部材の頂部とは反対側に支持部材の頂部が位置するように対向して、支持部材の重ね合わせ領域と提げ手部材の重ね合わせ領域とを縫合されて、連結され、
前記支持部材は、支持領域が少なくとも前記重ね合わせ領域の近傍においては断面略Ｃ字型ないしは略Ｕ字型アーチ状を形成し、支持領域より下方の固着領域において、バッグ本体に固着され、
前記提げ手部材は、バッグ本体に固着された前記支持部材の固着領域より下方にのび、提げ手部材の固着領域においてバッグ本体に固着され、
前胴部及び後胴部に取り付けられた提げ手部材のうち、一方の提げ手部材のわん曲領域には、磁石片が内設され、他方の提げ手部材のわん曲領域には磁性体片及び／又は磁石片が内設され、
重ねられた一方の提げ手部材の少なくとも頂上と他方の提げ手部材の少なくとも頂上とは引き寄せられて引っ着くように形成された、バッグの提げ手の構造である。
この発明の請求項９にかかるバッグの提げ手の構造は、長手方向を有する帯状の提げ手部材は、帯状体の幅方向における中央において、帯状体を内側にしてわん曲させ、長手方向に延びる一方の長手端縁と他方の長手端縁とを閉じ合わせ、わん曲された領域と閉じ合わせた領域との間において、一方の提げ手部材の磁石片の平面と他方の提げ手部材の磁性体片又は磁石片の平面とが拡がるように内設され、重ねられた一方の提げ手部材の磁石片の平面と他方の提げ手部材の磁性体片又は磁石片の平面とが略々平行になるように形成された、請求項８に記載のバッグの提げ手の構造である。
【発明の効果】
【０００８】
本発明のバッグの提げ手の構造によれば、バッグを置いた際、提げ手の上方に向けて立ち上がった状態を保つことができ、バッグ本体が型崩れしにくいバッグを提供することができる。
請求項２の発明によれば、支持部材は、複数の帯状体を積層され、且つ、積層された帯状体をその幅においてわん曲されて断面略Ｃ字型アーチ状の重ね合わせ領域を形成されているので、提げ手部材を上方に立ち上げることをできる。
請求項３の発明によれば、前記提げ手部材は、わん曲領域と、該わん曲領域の両端に続いて形成された重ね合わせ領域と、該重ね合わせ領域に続いて形成された架設領域と、該架設領域に続いて形成された固着領域とを備え、
わん曲領域と、重ね合わせ領域と、架設領域の前記重ね合わせ領域に続く近傍とを、断面略Ｃ字型アーチ状に形成されているので、提げ手部材が上方に立ち上げられる。
請求項４の発明によれば、バッグを置いた際、提げ手の上方に向けて立ち上がった状態を保つことができ、バッグ本体が型崩れしにくいバッグを提供することができる。
請求項５の発明によれば、支持部材は、複数の帯状体を積層され、且つ、積層された帯状体をその幅においてわん曲されて断面略Ｃ字型アーチ状の重ね合わせ領域を形成されているので、提げ手部材が上方に立ち上げられる。
請求項６の発明によれば、前記支持部材は、重ね合わせ領域と、該重ね合わせ領域に続いて形成された支持領域と、該支持領域に続いて形成された固着領域とを備え、
重ね合わせ領域と、支持領域の前記重ね合わせ領域に続く近傍とを、断面略Ｃ字型アーチ状に形成されているので、提げ手部材が上方に立ち上げられる。
請求項７の発明によれば、バッグを置いた際、提げ手の上方に向けて立ち上がった状態を保つことができ、バッグ本体が型崩れしにくいバッグを提供することができる。
【０００９】
請求項８の発明によれば、バッグの提げ手が肩に重ね合さった状態で掛かり、バッグが肩からずれ落ちにくい。
請求項９の発明によれば、一方の提げ手部材と他方の提げ手部材とが重ねられた状態で引っ着き、肩に掛けた状態で一方の提げ手部材が肩からずれ落ちにくい。
この発明の上述の目的、その他の目的、特徴及び利点は、図面を参照して行う以下の発明を実施するための形態の説明から一層明らかとなろう。
【図面の簡単な説明】
【００１０】
【図１】本発明の一実施形態のバッグの提げ手の構造を用いた鞄の斜視図解図である        。
【図２】図１図示鞄の背面側の斜視図解図である。
【図３】図１図示鞄の提げ手の構造を示す向こう側の図解図である。
【図４】図１図示鞄の提げ手の構造を示す側面図解図である。
【図５】図４Ｉ−Ｉ端面図である。
【図６】図１図示鞄の提げ手の構造を示す斜視図解図である。
【図７】図１図示鞄の提げ手の構造を示す断面図解図である。
【図８】図１図示鞄の提げ手の製造過程を示す斜視図解図である。
【図９】図１図示鞄の提げ手の製造過程を示す図解図であり、（ａ）は斜視図解図で        あり、（ｂ）は断面図解図である。
【図１０】図１図示鞄の提げ手の製造過程を示す図解図であり、（ａ）は斜視図解図        であり、（ｂ）は断面図解図である。
【図１１】図１図示鞄の提げ手の製造過程を示す斜視図解図である。
【図１２】図１図示鞄の提げ手の製造過程を示す図解図であり、（ａ）は斜視図解図        であり、（ｂ）は断面図解図である。
【図１３】図１図示鞄の提げ手の製造過程を示す斜視図解図である。
【図１４】図１図示鞄の提げ手の製造過程を示す斜視図解図である。
【図１５】図１図示鞄の提げ手の構造を示す斜視図解図である。
【図１６】図１図示鞄の提げ手の構造を示す斜視図解図である。
【図１７】図１図示鞄の提げ手の構造を示す断面図解図である。
【図１８】本発明の別の実施形態のバッグの提げ手の構造を用いたバッグの正面図解        図である。
【図１９】本発明の別の実施形態のバッグの提げ手の構造を用いたバッグの側面図解        図である。
【図２０】図１９VII−VII断面図である。
【図２１】図１８図示鞄の製造過程を示す斜視図解図である。
【図２２】図１８図示鞄の製造過程を示す図解図であり、（ａ）は斜視図解図であり        、（ｂ）は断面図解図である。
【図２３】図１８図示鞄の提げ手付近を拡大した部分拡大斜視図解図である。
【図２４】本発明にかかるバッグの説明図である。
【図２５】本発明にかかるバッグの説明図である。
【図２６】本発明の他の実施形態のバッグの提げ手の構造を用いた鞄の斜視図解図で    ある    。
【図２７】図２６図示鞄の正面側の斜視図解図である。
【図２８】図２６図示鞄の提げ手の構造を示す向こう側の斜視図解図である。
【図２９】図２６図示鞄の提げ手の構造を示す側面図解図である。
【図３０】図２９Ｉ−Ｉ端面図である。
【図３１】図２６示鞄の提げ手の構造を示す側面図解図である。
【図３２】図２６示鞄の提げ手の構造を示す図解図であり、（ａ）は斜視図解図であ    り、（ｂ）はＩＩ−ＩＩ面図である。
【図３３】図２６示鞄の提げ手の製造過程を示す斜視図解図である。
【図３４】図２６示鞄の提げ手の製造過程を示す斜視図解図ある。
【図３５】図２６図示鞄の提げ手の製造過程を示す図解図であり、（ａ）は斜視図解    図    であり、（ｂ）はＶ−Ｖ端面図解図である。
【図３６】図２６図示鞄の提げ手の製造過程を示す斜視図解図である。
【図３７】図２６図示鞄の提げ手の製造過程を示す図解図であり、（ａ）は斜視図解    図    であり、（ｂ）はＶＩ−ＶＩ断面図解図であり、（ｃ）は、ＶＩＩ−ＶＩＩ断    面図解図である。
【図３８】図２６図示鞄の提げ手の頂部付近を拡大した部分拡大図解図であり、（ａ    ）は斜視図解図であり、（ｂ）は断面図解図である。
【図３９】図２６図示鞄の提げ手の構造を示す斜視図解図である。
【図４０】図２６図示鞄の提げ手の構造を示す斜視図解図である。
【図４１】図２６図示鞄の提げ手の構造を示す斜視図解図である。
【図４２】図２６図示鞄の提げ手の構造を示す断面図解図であり、（ａ）は、上部の    断面図解図であり、（ｂ）は下部の断面図解図である。
【図４３】本発明にかかるバッグの説明図である。
【図４４】本発明にかかるバッグの説明図である。
【発明を実施するための形態】
【００１１】
以下、本発明のバッグの提げ手の構造を、一実施の形態に基づいて説明する。
図１は、本発明の一実施形態のバッグの提げ手の構造を用いた鞄の斜視図解図であり、図２は、図１の鞄の背面側の斜視図解図であり、図３は、図１の鞄の提げ手の構造を示す背面図解図であり、図４は、図１の鞄の提げ手の構造を示す斜視図解図であり、図５は、図１の鞄の提げ手の構造を示す斜視図解図であり、図６は、図１の鞄の提げ手の構造を示す斜視図解図であり、図７は、図１の鞄の提げ手の構造を示す断面図解図である。
【００１２】
本発明のバッグの提げ手の構造は、図１に示すように、ボストンバッグなどの手提げ鞄１０のバッグ本体１２への提げ手１４の取り付けに用いることができる。本発明のバッグの提げ手の構造は、手提げ鞄以外にも、肩掛けバッグの肩掛け部等にも用いることができる。
【００１３】
バッグ本体１２は、前胴部２０と、前記前胴部２０と対向する後胴部２２と、前記前胴部２０と後胴部２２との間に介在する襠部２４と、前記前胴部２０，後胴部２２及び襠部２４の下端に設けられた底部２６とを備える。
【００１４】
前胴部２０と後胴部２２との間の開口部２８は、前胴部２０の開口縁と後胴部２２の開口縁とに付設されたファスナ３０で開閉できるように構成されている。
【００１５】
襠部２４は、前胴部２０の左側に形成された左側の襠部２４Ａと、前胴部２０の右側に形成された右側の襠部２４Ｂとを備える。
【００１６】
底部２６は、前胴部２０，後胴部２２及び襠部２４の下端縁において、前胴部２０，後胴部２２及び襠部２４の外表面と重ね合わされた底部材３２を縫合してなる。
底部材３２は、全体が皿状であって、周縁を一定幅の底部材接合領域３４で、前胴部２０，後胴部２２及び襠部２４と縫合されている。
【００１７】
本発明のバッグ本体１２に取り付けられる提げ手の構造は、バッグ本体１２の外側において、人が手で提げる提げ領域Ａ１が、前胴部２０及び／又は後胴部２２より上方に向けてのびるように取り付けられた提げ手１４に適用される。
【００１８】
本発明にかかるバッグの提げ手の構造は、バッグ本体１２に取り付けられる、提げ手部材５０を支持する構造である。
【００１９】
前記提げ手部材５０は、わん曲領域６０と、該わん曲領域６０の両端に続いて形成された一方の重ね合わせ領域６２及び他方の重ね合わせ領域６４と、該重ね合わせ領域（一方の重ね合わせ領域６２及び他方の重ね合わせ領域６４）に続いて形成された架設領域（一方の架設領域６６及び他方の架設領域６８）と、該架設領域を構成する一方の架設領域６６及び他方の架設領域６８に続いて形成された固着領域（一方の固着領域７０及び他方の固着領域７２）とを備える。
【００２０】
外側の提げ手部材５０は、提げ領域Ａ１において正面視略Ｕ字状にわん曲されている。
提げ手部材５０は、わん曲領域６０から左右に分かれてのびる延長領域にある一方の架設領域６６及び一方の固着領域７０と他方の架設領域６８及び他方の固着領域７２とを、適宜な間隔をあけて、バッグ本体１２の外側において取り付けられている。
【００２１】
長手方向を有する帯状の提げ手部材５０は、革又は布帛からなる長手方向を有する直線状の帯状体であって、両長手端縁すなわち一方の長手端縁５２と他方の長手端縁５４とを合わせて、断面略Ｃ字型アーチ状に成形されている。
提げ手部材５０は、わん曲領域６０と、重ね合わせ領域（一方の重ね合わせ領域６２及び他方の重ね合わせ領域６４）と、前記架設領域（一方の架設領域６６及び他方の架設領域６８）の前記重ね合わせ領域に続く近傍とを、断面略Ｃ字型アーチ状に形成されている。
【００２２】
前記提げ手部材５０は、一方の架設領域６６及び他方の架設領域６８における帯状体の両長手端縁の間すなわち一方の長手端縁５２と他方の長手端縁５４との間に、一方の架設領域６６及び他方の架設領域６８のそれぞれに、支持部材１００を介装されている。
支持部材１００は、バッグ本体１２より上方に向けて提げ手部材５０を立ち上げるために、提げ手部材５０の一方の重ね合わせ領域６２及び他方の重ね合わせ領域６４に沿ってのびるように形成されている。
【００２３】
前記支持部材１００は、革又は布帛からなる長手方向を有する直線状の帯状体であって、少なくともその上部が両長手端縁（一方の長手端縁１０２及び他方の長手端縁１０４）を合わせて断面略Ｃ字型アーチ状に成形された重ね合わせ領域１１０と、該重ね合わせ領域１１０より下方にのびる支持領域１１２と、該支持領域１１２より下方に形成された固着領域１１４とを備えている。
【００２４】
前記支持部材１００は、重ね合わせ領域１１０の両手長手端縁すなわち一方の長手端縁１０２及び他方の長手端縁１０４を、断面略Ｃ字型アーチ状に成形された提げ手部材５０の両長手端縁の間すなわち一方の長手端縁５２と他方の長手端縁５４との間に介装されている。
【００２５】
前記支持部材１００は、提げ手部材５０の頂部９０とは反対側に支持部材１００の頂部１５０が位置するように対向して、支持部材１００の重ね合わせ領域１１０と提げ手部材５０の重ね合わせ領域（一方の重ね合わせ領域６２及び他方の重ね合わせ領域６４）とを縫合されて、連結されている。
【００２６】
前記支持部材１００は、支持領域１１２が少なくとも前記重ね合わせ領域１１０の近傍においては断面略Ｃ字型ないしは略Ｕ字型アーチ状に形成し、支持領域１１２より下方の固着領域１１４において、バッグ本体１２に固着されている。
【００２７】
前記提げ手部材５０は、バッグ本体１２に固着された前記支持部材１００の固着領域１１４より下方にのび、提げ手部材５０の固着領域（一方の固着領域７０及び他方の固着領域７２）においてバッグ本体１２に固着されている。
【００２８】
支持部材１００は、複数の帯状体１３０及び帯状体１４０を積層され、且つ、積層された帯状体１３０及び帯状体１４０をその幅においてわん曲されて断面略Ｃ字型アーチ状の重ね合わせ領域１１０を形成されている。
帯状体１３０及び帯状体１４０は、帯状の革又は布帛の両長手縁の近傍を内側に折り重ね、折り重ねた部分を貼着してなる。
帯状体１３０と帯状体１４０とは、折り重ねた部分を対向させ、貼り合わせて一枚の支持部材１００を成形するように、構成されている。
【００２９】
支持部材１００は、帯状体１３０及び帯状体１４０の幅方向における中央において、帯状体１４０を内側にしてわん曲させ、一方の長手端縁１０２と他方の長手端縁１０４とを閉じ合わせ、一方の長手端縁１０２と他方の長手端縁１０４より内側を外側方向すなわち帯状体１３０側に膨出させるようにわん曲させて、一方の長手端縁１０２と他方の長手端縁１０４とを縫合してなる閉合部１５６と、一方の長手端縁１０２及び他方の長手端縁１０４に続く膨大部１５２及び膨大部１５４と、帯状体１３０及び帯状体１４０が幅方向における中央においてわん曲された状態の支持領域１１２の頂部１５０とを形成されている。
【００３０】
提げ手部材５０は、革又は布帛からなる帯状体８０を、帯状の革又は布帛の両長手縁の近傍を内側に折り重ね、折り重ねた部分を貼着してなる。
帯状体８０は、折り重ねた部分を対向させ、貼り合わせて一枚の提げ手部材５０を成形するように構成されている。
【００３１】
提げ手部材５０は、帯状体８０の幅方向における中央において、折り重ねた部分を内側にしてわん曲させ、一方の長手端縁５２と他方の長手端縁５４とを閉じ合わせ、一方の長手端縁５２及び他方の長手端縁５４より内側を外側方向すなわち折り重ね部分とは反対に膨出させるようにわん曲させて、一方の長手端縁５２と他方の長手端縁５４とを縫合してなる閉合部９６と、一方の長手端縁５２及び他方の長手端縁５４に続く膨大部９２及び膨大部９４と、頂部９０とを形成されている。
【００３２】
外側の提げ手部材５０と内側の支持部材１００とは、その長さが異なり、外側の提げ手部材５０の方が内側の支持部材１００より長い。
外側の提げ手部材５０と内側の支持部材１００とは、その幅が略々同じである。
【００３３】
外側の提げ手部材５０は、重ね合わされた領域すなわち提げ手部材５０の一方の重ね合わせ領域６２及び他方の重ね合わせ領域６４と支持部材１００の重ね合わせ領域１１０とにおいて、帯状体８０幅方向における中央の近傍において湾曲させられている。
外側の提げ手部材５０の一方の重ね合わせ領域６２及び他方の重ね合わせ領域６４は、バッグ本体１２の外側に向けて膨出している。
支持部材１００は、重ね合わされた領域すなわち提げ手部材５０の一方の重ね合わせ領域６２及び他方の重ね合わせ領域６４と支持部材１００の重ね合わせ領域１１０とにおいて、帯状体１３０を幅方向における中央の近傍において湾曲させられている。
支持部材１００の重ね合わせ領域１１０は、バッグ本体１２側に向いて膨出している。
【００３４】
支持部材１００は、重ね合わせ領域１１０における帯状体１３０及び帯状体１４０の閉合部１５６を、提げ手部材５０の一方の重ね合わせ領域６２（及び他方の重ね合わせ領域６４）における一方の長手端縁５２と他方の長手端縁５４との間から提げ手部材５０の頂部９０の内側に向けて挿し込み、支持部材１００の重ね合わせ領域１１０と提げ手部材５０の一方の重ね合わせ領域６２（及び他方の重ね合わせ領域６４）とを重ね合わせる。
提げ手部材５０の一方の重ね合わせ領域６２（及び他方の重ね合わせ領域６４）における一方の長手端縁５２及び他方の長手端縁５４は、支持部材１００の重ね合わせ領域１１０における頂部１５０の近傍に至る。
【００３５】
外側の提げ手部材５０と内側の支持部材１００とは、帯状体８０の閉合部９６と帯状体１３０及び帯状体１４０の頂部１５０とを重ね合わされた領域において、外側の提げ手部材５０の長手端縁（一方の長手端縁５２及び他方の長手端縁５４）の近傍及び内側の一方の支持部材１００の頂部１５０の近傍を縫合されて縫合部１６０を形成されている。
縫合部１６０は、提げ領域Ａ１より延びた領域の提げ手部材５０の一方の重ね合わせ領域６２と支持部材１００の重ね合わせ領域１１０との重ね合わせ領域及び提げ手部材５０の他方の重ね合わせ領域６４と支持部材１００の重ね合わせ領域１１０との重ね合わせ領域において、提げ手部材５０一方の長手端縁５２及び他方の長手端縁５４に沿って、提げ手部材５０の一方の長手端縁５２及び他方の重ね合わせ領域６４の近傍と支持部材１００の頂部１５０とを縫合されている。
支持部材１００の支持領域１１２は、重ね合わせ領域１１０と内側の支持部材１００がバッグ本体１２の表面に取り付けられる固着領域１１４との間にあり、支持領域１１２の部分を縫合しないで、帯状体１３０及び帯状体１４０が幅方向における中央においてわん曲された状態の支持領域１１２を形成されている。
【００３６】
前記内側の支持部材１００は、その一方端の重ね合わせ領域１１０を提げ手部材５０の一方の重ね合わせ領域６２及び他方の重ね合わせ領域６４に取り付けられ、その他方端の固着領域１１４をバッグ本体１２の外表面に取り付けられている。
この実施の形態においては、内側の支持部材１００は、その一方端の重ね合わせ領域１１０が、前胴部２０の開口部２８の近傍で襠部２４を構成する左側の襠部２４Ａ（右側襠部の２４Ｂ）の近傍の提げ手部材５０の一方の重ね合わせ領域６２及び他方の重ね合わせ領域６４に縫合され、且つその他方端の固着領域１１４が、前胴部２０の開口部２８の近傍で襠部２４を構成する右側の襠部２４Ｂの近傍に縫合されている。
内側の支持部材１００は、それを構成する長尺帯状体（帯状体１３０及び帯状体１４０）の平坦な状態における固着領域１１４の裏面側を、バッグ本体１２の外表面に接し合わせて縫合されている。
【００３７】
内側の支持部材１００は、重ね合わせ領域１１０と外側の提げ手部材５０の一方の重ね合わせ領域６２及び他方の重ね合わせ領域６４との間に、外側の提げ手部材５０とバッグ本体１２と接合されない非接合領域Ａ４である支持領域１１２を形成されている。
内側の支持部材１００は、外側の提げ手部材５０と縫合されていない非縫合領域Ａ２の固着領域１１４の近傍側が、内側の支持部材１００を構成する長尺帯状体の平坦な状態の帯状体１３０及び帯状体１４０の態様である。
【００３８】
外側の提げ手部材５０は、提げ領域Ａ１において、正面視Ｕ字状にわん曲されている。
前記外側の提げ手部材５０は、前記内側の支持部材１００と重ね合わせられた一方の重ね合わせ領域６２及び他方の重ね合わせ領域６４からバッグ本体１２の底方向に延びた、延長領域において、バッグ本体１２の外表面との間に適宜な間隔を空けて、バッグ本体１２の外側において取り付けられている。
外側の提げ手部材５０は、内側の支持部材１００との接合領域Ａ３である一方の重ね合わせ領域６２及び他方の重ね合わせ領域６４から延びた延長領域である一方の架設領域６６及び他方の架設領域６８において、バッグ本体１２と接合する位置まで支持部材１００及びバッグ本体１２と縫合されない非縫合領域Ａ２を形成されている。
外側の提げ手部材５０は、内側の支持部材１００と縫合されていない非縫合領域Ａ２の一部（一方の重ね合わせ領域６２及び他方の重ね合わせ領域６４より下方の一方端及び他方端側の部分）が、外側の提げ手部材５０を構成する長尺帯状体８０の平坦な状態の帯状体の態様である。
【００３９】
外側の提げ手部材５０の延長領域における一方の固着領域７０及び他方の固着領域７２は、底部材３２のバッグ本体１２への接合領域の縁部から底部材３２とバッグ本体１２との間に挿入され、バッグ本体１２の外表面及び／又はバッグ本体１２の内表面に取り付けられている。
この実施の形態においては、外側の提げ手部材５０は、その一方端の一方の固着領域７０を、左側の襠部２４Ａの近傍で底部材３２と前胴部２０との底部材接合領域３４との間で、前胴部２０及び底部材３２に跨って縫合されている。
具体的には、底部材３２と前胴部２０とを底部材接合領域３４で縫合するときに、前胴部２０と底部材３２との間に挟まれた外側の提げ手部材５０の一方端の一方の固着領域７０を縫合して、取り付けられている。
更に、その他方端の他方の固着領域７２を、右側の襠部２４Ｂの近傍で底部材３２と前胴部２０との底部材接合領域３４との間で、前胴部２０及び底部材３２に跨って縫合されている。
具体的には、底部材３２と前胴部２０とを底部材接合領域３４で縫合するときに、前胴部２０と底部材３２との間に挟まれた外側の提げ手部材５０の他方端の固着領域７２を縫合して、取り付けられている。
外側の提げ手部材５０は、一方の固着領域７０及び他方の固着領域７２を構成する領域が、外側の提げ手部材５０を構成する長尺帯状体８０の平坦な状態における裏面側をバッグ本体１２の外表面に接し合わせて縫合されている。
【００４０】
外側の提げ手部材５０は、縫合された接合領域Ａ３である一方の重ね合わせ領域６２及び他方の重ね合わせ領域６４から延びた外側の提げ手部材５０の延長領域において、内側の提げ手部材５０の一方の固着領域７０及び他方の固着領域７２と接合されない非接合領域Ａ４を形成されている。
外側の提げ手部材５０は、内側の支持部材１００及びバッグ本体１２と縫合されていない非接合領域Ａ４が、外側の提げ手部材５０を構成する長尺帯状体８０の平坦な状態の帯状体の態様である。
外側の提げ手部材５０の延長領域である非接合領域Ａ４は、その内側とバッグ本体１２の外表面との間における空所によって物品を挟持するための一方の架設領域６６及び他方の架設領域６８を形成されている。
【００４１】
次に、バッグの提げ手の取り付け方法について、主として図８ないし図１３に基づいて説明する。
【００４２】
長手方向を有する帯状の提げ手部材５０を形成する、革又は布帛からなる長手方向を有する帯状体８０を準備する。
提げ手部材５０は、革又は布帛からなる帯状体８０を、帯状の革又は布帛の両長手縁の近傍を内側に折り重ね、折り重ねた部分を貼着してなる。
帯状体８０は、折り重ねた部分を対向させ、貼り合わせて一枚の提げ手部材５０を成形するように構成されている。
【００４３】
帯状体８０は、両長手端縁すなわち一方の長手端縁５２と他方の長手端縁５４とを合わせて、断面略Ｃ字型アーチ状に成形する。
提げ手部材５０は、わん曲領域６０と、重ね合わせ領域（一方の重ね合わせ領域６２及び他方の重ね合わせ領域６４）と、前記架設領域（一方の架設領域６６及び他方の架設領域６８）の前記重ね合わせ領域に続く近傍とを、断面略Ｃ字型アーチ状に形成する。
わん曲領域６０と他方の重ね合わせ領域６４とを、一方の長手端縁５２及び他方の長手端縁５４の近傍において縫合する。
提げ手部材５０は、帯状体８０の幅方向における中央において、折り重ねた部分を内側にしてわん曲させ、一方の長手端縁５２と他方の長手端縁５４とを閉じ合わせ、一方の長手端縁５２及び他方の長手端縁５４より内側を外側方向すなわち折り重ね部分とは反対に膨出させるようにわん曲させて、一方の長手端縁５２と他方の長手端縁５４とを縫合してなる閉合部９６と、一方の長手端縁５２及び他方の長手端縁５４に続く膨大部９２及び膨大部９４と、頂部９０とを形成する。（提げ手部材成形ステップ）
【００４４】
次に、前記提げ手部材５０の、一方の架設領域６６及び他方の架設領域６８における帯状体の両長手端縁の間すなわち一方の長手端縁５２と他方の長手端縁５４との間に、一方の架設領域６６及び他方の架設領域６８のそれぞれに、支持部材１００を介装する。
支持部材１００は、バッグ本体１２より上方に向けて提げ手部材５０を立ち上げるために、提げ手部材５０の一方の重ね合わせ領域６２及び他方の重ね合わせ領域６４に沿って一方の重ね合わせ領域６２と他方の重ね合わせ領域６４との間に介装する。（支持部材介装ステップ）
【００４５】
前記支持部材１００を形成する、革又は布帛からなる長手方向を有する帯状体１３０及び１４０は、少なくともその上部が両長手端縁（一方の長手端縁１０２及び他方の長手端縁１０４）を合わせて断面略Ｃ字型アーチ状に成形された重ね合わせ領域１１０と、該重ね合わせ領域１１０より下方にのびる支持領域１１２と、該支持領域１１２より下方に形成された固着領域１１４とを備えている。
【００４６】
前記支持部材１００は、重ね合わせ領域１１０の両手長手端縁すなわち一方の長手端縁１０２及び他方の長手端縁１０４を、断面略Ｃ字型アーチ状に成形された提げ手部材５０の両長手端縁の間すなわち一方の長手端縁５２と他方の長手端縁５４との間に介装する。
【００４７】
提げ手部材５０の頂部９０とは反対側に支持部材１００の頂部１５０が位置するように対向して、支持部材１００の重ね合わせ領域１１０と提げ手部材５０の重ね合わせ領域（一方の重ね合わせ領域６２及び他方の重ね合わせ領域６４）とを縫合して支持部材１００を提げ手部材５０に連結する。（支持部材連結ステップ）
【００４８】
帯状体１３０及び帯状体１４０は、帯状の革又は布帛の両長手縁の近傍を内側に折り重ね、折り重ねた部分を貼着してなる。
帯状体１３０と帯状体１４０とは、折り重ねた部分を対向させ、貼り合わせて一枚の支持部材１００を成形するように、構成されている。
支持部材１００は、帯状体１３０及び帯状体１４０の幅方向における中央において、帯状体１４０を内側にしてわん曲させ、一方の長手端縁１０２と他方の長手端縁１０４とを閉じ合わせ、一方の長手端縁１０２と他方の長手端縁１０４より内側を外側方向すなわち帯状体１３０側に膨出させるようにわん曲させて、一方の長手端縁１０２と他方の長手端縁１０４とを縫合してなる閉合部１５６と、一方の長手端縁１０２及び他方の長手端縁１０４に続く膨大部１５２及び膨大部１５４と、帯状体１３０及び帯状体１４０が幅方向における中央においてわん曲された状態の支持領域１１２の頂部１５０とを形成する。（支持部材成形ステップ）
【００４９】
外側の提げ手部材５０と内側の支持部材１００とを、帯状体８０の閉合部９６と帯状体１３０及び帯状体１４０の頂部１５０とを重ね合わされた領域において、外側の提げ手部材５０の長手端縁（一方の長手端縁５２及び他方の長手端縁５４）の近傍及び内側の一方の支持部材１００の頂部１５０の近傍を縫合して縫合部１６０を形成する。
提げ領域Ａ１より延びた領域における提げ手部材５０の一方の重ね合わせ領域６２と支持部材１００の重ね合わせ領域１１０との重ね合わせ領域及び提げ手部材５０の他方の重ね合わせ領域６４と支持部材１００の重ね合わせ領域１１０との重ね合わせ領域において、提げ手部材５０の一方の長手端縁５２及び他方の長手端縁５４に沿って、提げ手部材５０の一方の長手端縁５２及び他方の重ね合わせ領域６４の近傍と支持部材１００の頂部１５０とを縫合して、縫合部１６０を形成する。
【００５０】
次に、前記支持部材１００を、支持領域１１２が少なくとも前記重ね合わせ領域１１０の近傍においては断面略Ｃ字型ないしは略Ｕ字型アーチ状に成形し、支持領域１１２より下方の固着領域１１４において、バッグ本体１２に固着する。（支持部材の固着ステップ）
【００５１】
次に、前記提げ手部材５０を、バッグ本体１２に固着された前記支持部材１００の固着領域１１４より下方にのばし、提げ手部材５０の固着領域（一方の固着領域７０及び他方の固着領域７２）においてバッグ本体１２に固着する。（提げ手部材の固着ステップ）
【００５２】
支持部材１００の支持領域１１２は、重ね合わせ領域１１０と内側の支持部材１００がバッグ本体１２の表面に取り付けられる固着領域１１４との間にあり、支持領域１１２の部分を縫合しないで、帯状体１３０及び帯状体１４０が幅方向における中央においてわん曲された状態の支持領域１１２を形成する。
【００５３】
前記内側の支持部材１００の一方端の重ね合わせ領域１１０を提げ手部材５０の一方の重ね合わせ領域６２及び他方の重ね合わせ領域６４に取り付け、その他方端の固着領域１１４をバッグ本体１２の外表面に取り付ける。
この実施の形態においては、内側の支持部材１００の一方端の重ね合わせ領域１１０を、前胴部２０の開口部２８の近傍で襠部２４を構成する左側の襠部２４Ａ（右側襠部の２４Ｂ）の近傍の提げ手部材５０の一方の重ね合わせ領域６２及び他方の重ね合わせ領域６４に縫合し、且つその他方端の固着領域１１４を、前胴部２０の開口部２８の近傍で襠部２４を構成する右側の襠部２４Ｂの近傍に縫合する。
内側の支持部材１００を構成する長尺帯状体（帯状体１３０及び帯状体１４０）の平坦な状態における固着領域１１４の裏面側を、バッグ本体１２の外表面に接し合わせて縫合する。
而して、本発明のバッグの提げ手１４の構造を備えたバッグを形成できる。
【００５４】
次に、この発明の別の実施の形態であるバッグの提げ手の構造について、主として、図２３ないし図２５に基づいて説明する。
バッグ本体２１２に取り付けられる、提げ手部材２５０を支持する提げ手の構造は、
長手方向を有する帯状の提げ手部材２５０が、両長手端縁（一方の長手端縁２５２及び他方の長手端縁２５４）を合わせて断面略Ｃ字型アーチ状に成形されている。
前記提げ手部材２５０は、両長手端縁の間に、バッグ本体２１２より上方に向けて提げ手部材２５０を立ち上げるための支持部材３００を介装されている。
【００５５】
提げ手部材２５０は、バッグ本体２１２側に位置しており、支持部材３００は、提げ手部材２５０の外側に位置しており、前記実施の形態の提げ手２１４とは逆になっている。
また、前記実施の形態の提げ手２１４と比較して、提げ手部材２５０は、短くなっており、逆に、支持部材３００は、長くなっている。
【００５６】
前記支持部材３００は、長手方向を有する帯状体３３０（３４０）であって、少なくともその上部が両長手端縁を合わせて断面略Ｃ字型アーチ状に成形された重ね合わせ領域３１０と、該重ね合わせ領域３１０より下方にのびる支持領域３１２と、該支持領域３１２より下方に形成された固着領域３１４とを備える。
前記支持部材３００は、重ね合わせ領域３１０の両手長手端縁を、断面略Ｃ字型アーチ状に成形された提げ手部材２５０の両長手端縁の間（一方の長手端縁２５２と他方の長手端縁２５４との間）に介装されている。
前記支持部材３００は、提げ手部材２５０の頂部２９０とは反対側に支持部材３００の頂部３５０が位置するように対向して、支持部材３００の重ね合わせ領域３１０と提げ手部材２５０の重ね合わせ領域（一方の重ね合わせ領域２６２及び他方の重ね合わせ領域２６４）とを縫合されて、連結されている。
【００５７】
前記支持部材３００は、支持領域３１２が少なくとも前記重ね合わせ領域３１０の近傍においては断面略Ｃ字型ないしは略Ｕ字型アーチ状を形成し、支持領域３１２より下方の固着領域３１４において、バッグ本体２１２に固着されている。
支持部材３００の支持領域３１２は、バッグ本体２１２の高さ方向において長くのびている。
【００５８】
前記提げ手部材２５０は、重ね合わせ領域（一方の重ね合わせ領域２６２及び他方の重ね合わせ領域２６４）より下方にのび、下方にのびた部分の提げ手部材２５０の固着領域においてバッグ本体２１２に固着されている。
提げ手部材２５０の一方の架設領域２６６及び他方の架設領域２６８は、バッグ本体２１２の上部において、その下部の一方の固着領域２７０及び他方の固着領域２７２により固着されるように、その長さは短い。
【００５９】
バッグ本体２１２は、前胴部２２０と、前記前胴部２２０と対向する後胴部２２２と、前記前胴部２２０と後胴部２２２との間に介在する襠部２２４と、前記前胴部２２０，後胴部２２２及び襠部２２４の下端に設けられた底部２２６とを備える。
【００６０】
前胴部２２０と後胴部２２２との間の開口部２２８は、前胴部２２０の開口縁と後胴部２２２の開
口縁とに付設されたファスナ２３０で開閉できるように構成されている。
【００６１】
襠部２２４は、前胴部２２０の左側に形成された左側の襠部２２４Ａと、前胴部２２０の右側に形成された右側の襠部２２４Ｂとを備える。
【００６２】
底部２２６は、前胴部２２０，後胴部２２２及び襠部２２４の下端縁において、前胴部２２０，後胴部２２２及び襠部２２４の外表面と重ね合わされた底部材２３２を縫合してなる。
底部材２３２は、全体が皿状であって、周縁を一定幅の底部材接合領域２３４で、前胴部２０，後胴部２２２及び襠部２２４と縫合されている。
【００６３】
前記提げ手部材２５０は、わん曲領域２６０と、該わん曲領域２６０の両端に続いて形成された一方の重ね合わせ領域２６２及び他方の重ね合わせ領域２６４と、該重ね合わせ領域（一方の重ね合わせ領域２６２及び他方の重ね合わせ領域２６４）に続いて形成された架設領域（一方の架設領域２６６及び他方の架設領域２６８）と、該架設領域を構成する一方の架設領域２６６及び他方の架設領域２６８に続いて形成された固着領域（一方の固着領域２７０及び他方の固着領域２７２）とを備える。
【００６４】
内側の提げ手部材２５０は、提げ領域Ａ１において正面視略Ｕ字状にわん曲されている。
提げ手部材２５０は、わん曲領域２６０から左右に分かれてのびる延長領域にある一方の架設領域２６６及び一方の固着領域２７０と他方の架設領域２６８及び他方の固着領域２７２とを、適宜な間隔をあけて、バッグ本体２１２の上部の外側において取り付けられている。
【００６５】
前記提げ手部材２５０は、一方の架設領域２６６及び他方の架設領域２６８における帯状体の両長手端縁の間すなわち一方の長手端縁２５２と他方の長手端縁２５４との間に、一方の架設領域２６６及び他方の架設領域２６８のそれぞれに、支持部材３００を介装されている。
支持部材３００は、バッグ本体２１２より上方に向けて提げ手部材２５０を立ち上げるために、提げ手部材２５０の一方の重ね合わせ領域２６２及び他方の重ね合わせ領域２６４に沿ってのびるように形成されている。
【００６６】
前記支持部材３００は、提げ手部材２５０の頂部２９０とは反対側に支持部材３００の頂部３５０が位置するように対向して、支持部材３００の重ね合わせ領域３１０と提げ手部材２５０の重ね合わせ領域（一方の重ね合わせ領域２６２及び他方の重ね合わせ領域２６４）とを縫合されて、連結されている。
【００６７】
前記支持部材３００は、バッグ本体２１２に固着された前記提げ手部材２５０の固着領域（一方の固着領域２７０及び他方の固着領域２７２）より下方にのび、長くのびた支持領域３１２においてバッグ本体２１２の下部に固着されている。
【００６８】
提げ手部材２５０は、帯状体２８０の幅方向における中央において、折り重ねた部分を内側にしてわん曲させ、一方の長手端縁２５２と他方の長手端縁２５４とを閉じ合わせ、一方の長手端縁２５２及び他方の長手端縁２５４より内側を外側方向すなわち折り重ね部分とは反対に膨出させるようにわん曲させて、一方の長手端縁２５２と他方の長手端縁２５４とを縫合してなる閉合部２９６と、一方の長手端縁２５２及び他方の長手端縁２５４に続く膨大部２９２及び膨大部２９４と、頂部２９０とを形成されている。提げ手部材２５０は、頂部２９０がバッグ本体２１２の内側をむく。
【００６９】
内側の提げ手部材２５０（一方の架設領域２６６及び他方の架設領域２６８）と外側の支持部材３００とは、その長さが異なり、内側の提げ手部材２５０の方が外側の支持部材３００より短い。
外側の提げ手部材２５０と内側の支持部材３００とは、その幅が略々同じである。
外側の提げ手部材２５０の一方の重ね合わせ領域２６２及び他方の重ね合わせ領域２６４は、バッグ本体２１２の内側に向けて膨出している。
【００７０】
支持部材３００は、重ね合わせ領域３１０における帯状体３３０及び帯状体３４０の閉合部３５６を、提げ手部材２５０の一方の重ね合わせ領域２６２（及び他方の重ね合わせ領域２６４）における一方の長手端縁２５２と他方の長手端縁２５４との間から提げ手部材２５０の頂部２９０の内側に向けて挿し込み、支持部材３００の重ね合わせ領域３１０と提げ手部材２５０の一方の重ね合わせ領域２６２（及び他方の重ね合わせ領域２６４）とを重ね合わせる。
提げ手部材２５０の一方の重ね合わせ領域２６２（及び他方の重ね合わせ領域２６４）における一方の長手端縁２５２及び他方の長手端縁２５４は、支持部材３００の重ね合わせ領域３１０における頂部３５０の近傍に至る。
【００７１】
外側の提げ手部材２５０と内側の支持部材３００とは、帯状体２８０の閉合部２９６と帯状体３３０及び帯状体３４０の頂部３５０とを重ね合わされた領域において、外側の提げ手部材２５０の長手端縁（一方の長手端縁２５２及び他方の長手端縁２５４）の近傍及び内側の一方の支持部材３００の頂部３５０の近傍を縫合されて縫合部３６０を形成されている。
縫合部３６０は、提げ領域Ａ１より延びた領域の提げ手部材２５０の一方の重ね合わせ領域２６２と支持部材３００の重ね合わせ領域３１０との重ね合わせ領域及び提げ手部材２５０の他方の重ね合わせ領域２６４と支持部材３００の重ね合わせ領域３１０との重ね合わせ領域において、提げ手部材２５０一方の長手端縁２５２及び他方の長手端縁２５４に沿って、提げ手部材２５０の一方の長手端縁２５２及び他方の重ね合わせ領域２６４の近傍と支持部材３００の頂部３５０とを縫合されている。
支持部材３００の支持領域３１２は、重ね合わせ領域３１０と内側の支持部材３００がバッグ本体２１２の表面に取り付けられる固着領域３１４との間にあり、支持領域３１２の部分を縫合しないで、帯状体３３０及び帯状体３４０が幅方向における中央においてわん曲された状態の支持領域３１２を形成されている。
【００７２】
前記外側の支持部材３００は、その一方端の重ね合わせ領域３１０を提げ手部材２５０の一方の重ね合わせ領域２６２及び他方の重ね合わせ領域２６４に取り付けられ、その他方端の固着領域３１４をバッグ本体２１２の外表面に取り付けられている。
【００７３】
次に、別の実施の形態のバッグの提げ手の取り付け方法について、主として図２１ないし図２３に基づいて説明する。
【００７４】
長手方向を有する帯状の提げ手部材２５０を形成する、革又は布帛からなる長手方向を有する帯状体２８０を準備する。
提げ手部材２５０は、革又は布帛からなる帯状体２８０を、帯状の革又は布帛の両長手縁の近傍を内側に折り重ね、折り重ねた部分を貼着してなる。
帯状体２８０は、折り重ねた部分を対向させ、貼り合わせて一枚の提げ手部材２５０を成形するように構成されている。
【００７５】
帯状体２８０は、両長手端縁すなわち一方の長手端縁２５２と他方の長手端縁２５４とを合わせて、断面略Ｃ字型アーチ状に成形する。
提げ手部材２５０は、わん曲領域２６０と、重ね合わせ領域（一方の重ね合わせ領域２６２及び他方の重ね合わせ領域２６４）と、前記架設領域（一方の架設領域２６６及び他方の架設領域２６８）の前記重ね合わせ領域に続く近傍とを、断面略Ｃ字型アーチ状に形成する。
わん曲領域２６０と他方の重ね合わせ領域２６４とを、一方の長手端縁２５２及び他方の長手端縁２５４の近傍において縫合する。
提げ手部材２５０は、帯状体２８０の幅方向における中央において、折り重ねた部分を内側にしてわん曲させ、一方の長手端縁２５２と他方の長手端縁２５４とを閉じ合わせ、一方の長手端縁２５２及び他方の長手端縁２５４より内側を内側方向すなわち折り重ね部分とは反対に膨出させるようにわん曲させて、一方の長手端縁２５２と他方の長手端縁２５４とを縫合してなる閉合部２９６と、一方の長手端縁２５２及び他方の長手端縁２５４に続く膨大部２９２及び膨大部２９４と、頂部２９０とを形成する。（提げ手部材成形ステップ）
【００７６】
次に、前記提げ手部材２５０の、一方の架設領域２６６及び他方の架設領域２６８における帯状体の両長手端縁の間すなわち一方の長手端縁２５２と他方の長手端縁２５４との間に、一方の架設領域２６６及び他方の架設領域２６８のそれぞれに、支持部材３００を介装する。
支持部材３００は、バッグ本体２１２より上方に向けて提げ手部材２５０を立ち上げるために、提げ手部材２５０の一方の重ね合わせ領域２６２及び他方の重ね合わせ領域２６４に沿って一方の重ね合わせ領域２６２と他方の重ね合わせ領域２６４との間に介装する。（支持部材介装ステップ）
【００７７】
前記支持部材３００を形成する、革又は布帛からなる長手方向を有する帯状体３３０及び３４０は、少なくともその上部が両長手端縁（一方の長手端縁３０２及び他方の長手端縁３０４）を合わせて断面略Ｃ字型アーチ状に成形された重ね合わせ領域３１０と、該重ね合わせ領域３１０より下方にのびる支持領域３１２と、該支持領域３１２より下方に形成された固着領域３１４とを備えている。
【００７８】
前記支持部材３００は、重ね合わせ領域３１０の両手長手端縁すなわち一方の長手端縁３０２及び他方の長手端縁３０４を、断面略Ｃ字型アーチ状に成形された提げ手部材２５０の両長手端縁の間すなわち一方の長手端縁２５２と他方の長手端縁２５４との間に介装する。
【００７９】
提げ手部材２５０の頂部２９０とは反対側に支持部材３００の頂部３５０が位置するように対向して、支持部材３００の重ね合わせ領域３１０と提げ手部材２５０の重ね合わせ領域（一方の重ね合わせ領域２６２及び他方の重ね合わせ領域２６４）とを縫合して支持部材３００を提げ手部材２５０に連結する。（支持部材連結ステップ）
【００８０】
帯状体３３０及び帯状体３４０は、帯状の革又は布帛の両長手縁の近傍を内側に折り重ね、折り重ねた部分を貼着してなる。
帯状体３３０と帯状体３４０とは、折り重ねた部分を対向させ、貼り合わせて一枚の支持部材３００を成形するように、構成されている。
支持部材３００は、帯状体３３０及び帯状体３４０の幅方向における中央において、帯状体３４０を内側にしてわん曲させ、一方の長手端縁３０２と他方の長手端縁３０４とを閉じ合わせ、一方の長手端縁３０２と他方の長手端縁３０４より内側を外側方向すなわち帯状体３３０側に膨出させるようにわん曲させて、一方の長手端縁３０２と他方の長手端縁３０４とを縫合してなる閉合部３５６と、一方の長手端縁３０２及び他方の長手端縁３０４に続く膨大部３５２及び膨大部３５４と、帯状体３３０及び帯状体３４０が幅方向における中央においてわん曲された状態の支持領域３１２の頂部３５０とを形成する。（支持部材成形ステップ）
【００８１】
内側の提げ手部材２５０と外側の支持部材３００とを、帯状体２８０の閉合部２９６と帯状体３３０及び帯状体３４０の頂部３５０とを重ね合わされた領域において、内側の提げ手部材２５０の長手端縁（一方の長手端縁２５２及び他方の長手端縁２５４）の近傍及び内側の一方の支持部材３００の頂部３５０の近傍を縫合して縫合部３６０を形成する。
提げ領域Ａ１より延びた領域における提げ手部材２５０の一方の重ね合わせ領域２６２と支持部材３００の重ね合わせ領域３１０との重ね合わせ領域及び提げ手部材２５０の他方の重ね合わせ領域２６４と支持部材３００の重ね合わせ領域３１０との重ね合わせ領域において、提げ手部材２５０の一方の長手端縁２５２及び他方の長手端縁２５４に沿って、提げ手部材２５０の一方の長手端縁２５２及び他方の重ね合わせ領域２６４の近傍と支持部材３００の頂部３５０とを縫合して、縫合部３６０を形成する。（支持部材の固着ステップ）
【００８２】
次に、前記支持部材３００を、支持領域３１２が少なくとも前記重ね合わせ領域３１０の近傍においては断面略Ｃ字型ないしは略Ｕ字型アーチ状に成形し、支持領域３１２より下方の固着領域３１４において、バッグ本体２１２に固着する。（提げ手部材の固着ステップ）
【００８３】
次に、前記提げ手部材２５０を、一方の重ね合わせ領域２６２及び他方の重ね合わせ領域２６４より下方にのばした一方の架設領域２６６及び他方の架設領域２６８の下方の提げ手部材２５０の固着領域（一方の固着領域２７０及び他方の固着領域２７２）においてバッグ本体２１２に固着する。
【００８４】
支持部材３００の支持領域３１２は、重ね合わせ領域３１０と内側の支持部材３００がバッグ本体２１２の表面に取り付けられる固着領域３１４との間にあり、支持領域３１２の部分を縫合しないで、重ね合わせ領域３１０の近傍において帯状体３３０及び帯状体３４０が幅方向における中央においてわん曲された状態の支持領域３１２を形成する。
【００８５】
前記内側の支持部材３００の一方端の重ね合わせ領域３１０を提げ手部材２５０の一方の重ね合わせ領域２６２及び他方の重ね合わせ領域２６４に取り付け、その他方端の固着領域３１４をバッグ本体２１２の外表面に取り付ける。
この実施の形態においては、内側の提げ手部材２５０の一方端の重ね合わせ領域（一方の重ね合わせ領域２６２及び他方の重ね合わせ領域２６４）を、前胴部２２０の開口部２２８の近傍で襠部２２４を構成する左側の襠部２２４Ａ（右側の襠部２２４Ｂ）の近傍の支持部材３００の一方の長手端縁３０２及び他方の重ね合わせ領域２６４に縫合し、且つその他方端の固着領域（一方の固着領域２７０及び他方の固着領域２７２）を、前胴部２２０の開口部２２８の近傍で襠部２２４を構成する右側の襠部２２４Ｂの近傍に縫合する。
外側の支持部材３００を構成する長尺帯状体（帯状体３３０及び帯状体３４０）の平坦な状態における固着領域３１４の裏面側を、バッグ本体２１２の外表面に接し合わせて縫合する。
而して、本発明のバッグの提げ手２１４の構造を備えたバッグを形成できる。
【００８６】
次に、本発明のバッグの提げ手構造の、他の実施形態について説明する。
図２６は、本発明の他の実施形態のバッグの提げ手の構造を用いた鞄の斜視図解図である
図２７は、図２６図示鞄の正面側の斜視図解図である。
図２８は、図２６図示鞄の提げ手の構造を示す向こう側の斜視図解図である。
【００８７】
本発明のバッグの提げ手の構造は、特に、肩掛けバッグとして用いるに適する構造を備えている。
肩掛けバッグは、通常、提げ手が、バッグ本体の前胴部と後胴部との両側から上方に向けてのびるように取り付けられている。通常、その前後二本の提げ手を重ね合わせて肩に掛けるが、二本の提げ手は、肩掛けバッグを肩に掛けて歩行する等したときに、重ね合わせた二本の提げ手が分かれて一本の提げ手が肩からずれ落ち易い。
一本の提げ手が、肩から外れると、肩掛けバッグがそれに伴い肩からずれ落ちるようになる等不便である。
【００８８】
この実施の形態のバッグの提げ手の構造は、かかる事情を鑑み、二本の提げ手が重ね合された状態を維持することができるバッグの提げ手を提供できる。
この実施の形態のバッグの提げ手の構造によれば、二本のバッグの提げ手が肩に重ね合さった状態で掛かり、バッグが肩からずれ落ちにくい。
【００８９】
本発明のバッグの提げ手の構造は、図２６に示すように、肩掛けバッグの肩掛け部等に用いることができる。
バッグ本体５１２は、前胴部５２０と、前記前胴部５２０と対向する後胴部５２２と、前記前胴部５２０と後胴部５２２との間に介在する襠部５２４と、前記前胴部５２０，後胴部５２２及び襠部５２４の下端に設けられた底部５２６とを備える。
【００９０】
前胴部５２０と後胴部５２２との間の開口部５２８は、前胴部５２０の開口縁と後胴部５２２の開口縁とに付設されたファスナ５３０で開閉できるように構成されている。
【００９１】
襠部５２４は、前胴部５２０の左側に形成された左側の襠部５２４Ａと、前胴部５２０の右側に形成された右側の襠部５２４Ｂとを備える。
【００９２】
底部５２６は、前胴部５２０，後胴部５２２及び襠部５２４の下端縁において、前胴部５２０，後胴部５２２及び襠部５２４の外表面と重ね合わされた底部材５３２を縫合してなる。
底部材５３２は、全体が皿状であって、周縁を一定幅の底部材接合領域５３４で、前胴部５２０，後胴部５２２及び襠部５２４と縫合されている。
【００９３】
本発明のバッグ本体５１２に取り付けられる提げ手５１４の構造は、バッグ本体５１２の外側において、人の肩に掛る頂上の肩掛け領域Ｂ１が、前胴部５２０及び／又は後胴部５２２より上方に向けてのびるように取り付けられた提げ手５１４に適用される。
【００９４】
本発明にかかるバッグの提げ手５１４の構造は、バッグ本体５１２に取り付けられる提げ手部材５５０を支持する構造と、前後一対の提げ手５１４の頂点の肩掛け領域Ｂ１を重ねて引っ着ける構造とを備える。
提げ手５１４を構成する提げ手部材５５０は、前胴部５２０に取り付けられた一方の（すなわち手前側の）第１提げ手部材５５０Ａと、後胴部５２２側に取り付けられた他方の（すなわち向こう側）の第２提げ手部材５５０Ｂとを備える。
【００９５】
第１提げ手部材５５０Ａと第２提げ手部材５５０Ｂとは、提げ手部材を支持する構造においては、略々同じ構造である。
そこで、以下、主として、第１提げ手部材５５０Ａについて説明する。
前記第１提げ手部材５５０Ａは、わん曲領域５６０と、該わん曲領域５６０の両端に続いて形成された一方の重ね合わせ領域５６２及び他方の重ね合わせ領域５６４と、該重ね合わせ領域（一方の重ね合わせ領域５６２及び他方の重ね合わせ領域５６４）に続いて形成された架設領域（一方の架設領域５６６及び他方の架設領域５６８）と、該架設領域を構成する一方の架設領域５６６及び他方の架設領域５６８に続いて形成された固着領域（一方の固着領域５７０及び他方の固着領域５７２）とを備える。
【００９６】
外側の提げ手部材５５０は、頂上の肩掛け領域Ｂ１において正面視略Ｕ字状にわん曲されている。
提げ手部材５５０は、わん曲領域５６０から左右に分かれてのびる延長領域にある一方の架設領域５６６及び一方の固着領域５７０と他方の架設領域５６８及び他方の固着領域５７２とを、適宜な間隔をあけて、バッグ本体５１２の外側において取り付けられている。
【００９７】
長手方向を有する帯状の提げ手部材５５０は、革又は布帛からなる長手方向を有する直線状の帯状体であって、両長手端縁すなわち一方の長手端縁５５２と他方の長手端縁５５４とを合わせて、断面略Ｃ字型アーチ状に成形されている。
提げ手部材５５０は、わん曲領域５６０と、重ね合わせ領域（一方の重ね合わせ領域５６２及び他方の重ね合わせ領域５６４）と、前記架設領域（一方の架設領域５６６及び他方の架設領域５６８）の前記重ね合わせ領域に続く近傍とを、断面略Ｃ字型アーチ状に形成されている。
【００９８】
提げ手部材５５０は、内側面に沿って、長手方向を有する帯状の弾力性材５８２が添設される。
弾力性材５８２は、弾力性材５８２と略々同じ幅を有する布帛からなる長手方向を有する直線状の帯状体であって、両長手端縁すなわち一方の長手端縁５８２ａと他方の長手端縁５８２ｂとを合わせて、提げ手部材５５０の内側において提げ手部材５５０とともに断面略Ｃ字型アーチ状に成型されている。
弾力性材５８２は、提げ手部材５５０のわん曲領域５６０に対応する長さを備える。それゆえに、弾力性材５８２は、提げ手部材５５０のわん曲領域５６０にのみ添設されている。
【００９９】
前記提げ手部材５５０は、一方の架設領域５６６及び他方の架設領域５６８における帯状体の両長手端縁の間すなわち一方の長手端縁５５２と他方の長手端縁５５４との間に、一方の架設領域５６６及び他方の架設領域５６８のそれぞれに、支持部材６００を介装されている。
支持部材６００は、バッグ本体５１２より上方に向けて提げ手部材５５０を立ち上げるために、提げ手部材５５０の一方の重ね合わせ領域５６２及び他方の重ね合わせ領域５６４に沿ってのびるように形成されている。
【０１００】
前記支持部材６００は、革又は布帛からなる長手方向を有する直線状の帯状体であって、少なくともその上部が両長手端縁（一方の長手端縁６０２及び他方の長手端縁６０４）を合わせて断面略Ｃ字型アーチ状に成形された重ね合わせ領域６１０と、該重ね合わせ領域６１０より下方にのびる支持領域６１２と、該支持領域６１２より下方に形成された固着領域６１４とを備えている。
【０１０１】
前記支持部材６００は、重ね合わせ領域６１０の両手長手端縁すなわち一方の長手端縁６０２及び他方の長手端縁６０４を、断面略Ｃ字型アーチ状に成形された提げ手部材５５０の両長手端縁の間すなわち一方の長手端縁５５２と他方の長手端縁５５４との間に介装されている。
【０１０２】
前記支持部材６００は、提げ手部材５５０の頂部５９０とは反対側に支持部材６００の頂部６５０が位置するように対向して、支持部材６００の重ね合わせ領域６１０と提げ手部材５５０の重ね合わせ領域（一方の重ね合わせ領域５６２及び他方の重ね合わせ領域５６４）とを縫合されて、連結されている。
【０１０３】
前記支持部材６００は、支持領域６１２が少なくとも前記重ね合わせ領域６１０の近傍においては断面略Ｃ字型ないしは略Ｕ字型アーチ状に形成し、支持領域６１２より下方の固着領域６１４において、バッグ本体５１２に固着されている。
支持部材６００は、固着領域６１４において、バッグ本体５１２に逢着して固着されるとともに、鋲で固定されている。
【０１０４】
前記提げ手部材５５０は、バッグ本体５１２に固着された前記支持部材６００の固着領域６１４より下方にのび、提げ手部材５５０の固着領域（一方の固着領域５７０及び他方の固着領域５７２）においてバッグ本体５１２に固着されている。
【０１０５】
支持部材６００は、複数の帯状体６３０及び帯状体６４０を積層され、且つ、積層された帯状体６３０及び帯状体６４０をその幅においてわん曲されて断面略Ｃ字型アーチ状の重ね合わせ領域６１０を形成されている。
帯状体６３０及び帯状体６４０は、帯状の革又は布帛の両長手縁の近傍を内側に折り重ね、折り重ねた部分を貼着してなる。
帯状体６３０と帯状体６４０とは、折り重ねた部分を対向させ、貼り合わせて一枚の支持部材６００を成形するように、構成されている。
【０１０６】
支持部材６００は、帯状体６３０及び帯状体６４０の幅方向における中央において、帯状体６４０を内側にしてわん曲させ、一方の長手端縁６０２と他方の長手端縁６０４とを閉じ合わせ、一方の長手端縁６０２と他方の長手端縁６０４より内側を外側方向すなわち帯状体６３０側に膨出させるようにわん曲させて、一方の長手端縁６０２と他方の長手端縁６０４とを縫合してなる閉合部６５６と、一方の長手端縁６０２及び他方の長手端縁６０４に続く膨大部６５２及び膨大部６５４と、帯状体６３０及び帯状体６４０が幅方向における中央においてわん曲された状態の支持領域６１２の頂部６５０とを形成されている。
【０１０７】
提げ手部材５５０は、革又は布帛からなる帯状体５８０を、帯状の革又は布帛の両長手縁の近傍を内側に折り重ね、折り重ねた部分を貼着してなる。弾力性材５８２は、帯状体５８０とともに両長手縁の近傍を内側に折り重ね、折り重ねた部分を貼着してなる。
帯状体５８０は、折り重ねた部分を対向させ、貼り合わせて一枚の提げ手部材５５０を成形するように構成されている。
【０１０８】
提げ手部材５５０は、帯状体５８０の幅方向における中央において、折り重ねた部分を内側にしてわん曲させ、一方の長手端縁５５２と他方の長手端縁５５４とを閉じ合わせ、一方の長手端縁５５２及び他方の長手端縁５５４より内側を外側方向すなわち折り重ね部分とは反対に膨出させるようにわん曲させて、一方の長手端縁５５２と他方の長手端縁５５４とを縫合してなる閉合部５９６と、一方の長手端縁５５２及び他方の長手端縁５５４に続く膨大部５９２及び膨大部５９４と、頂部５９０とを形成されている。
【０１０９】
外側の提げ手部材５５０と内側の支持部材６００とは、その長さが異なり、外側の提げ手部材５５０の方が内側の支持部材６００より長い。
外側の提げ手部材５５０と内側の支持部材６００とは、その幅が略々同じである。
【０１１０】
外側の提げ手部材５５０は、重ね合わされた領域すなわち提げ手部材５５０の一方の重ね合わせ領域５６２及び他方の重ね合わせ領域５６４と支持部材６００の重ね合わせ領域６１０とにおいて、帯状体５８０幅方向における中央の近傍において湾曲させられている。
外側の提げ手部材５５０の一方の重ね合わせ領域５６２及び他方の重ね合わせ領域５６４は、バッグ本体５１２の外側に向けて膨出している。
支持部材６００は、重ね合わされた領域すなわち提げ手部材５５０の一方の重ね合わせ領域５６２及び他方の重ね合わせ領域５６４と支持部材６００の重ね合わせ領域６１０とにおいて、帯状体６３０を幅方向における中央の近傍において湾曲させられている。
支持部材６００の重ね合わせ領域６１０は、バッグ本体５１２側に向いて膨出している。
【０１１１】
支持部材６００は、重ね合わせ領域６１０における帯状体６３０及び帯状体６４０の閉合部６５６を、提げ手部材５５０の一方の重ね合わせ領域５６２（及び他方の重ね合わせ領域５６４）における一方の長手端縁５５２と他方の長手端縁５５４との間から提げ手部材５５０の頂部５９０の内側に向けて挿し込み、支持部材６００の重ね合わせ領域６１０と提げ手部材５５０の一方の重ね合わせ領域５６２（及び他方の重ね合わせ領域５６４）とを重ね合わせる。
提げ手部材５５０の一方の重ね合わせ領域５６２（及び他方の重ね合わせ領域５６４）における一方の長手端縁５５２及び他方の長手端縁５５４は、支持部材６００の重ね合わせ領域６１０における頂部６５０の近傍に至る。
【０１１２】
外側の提げ手部材５５０と内側の支持部材６００とは、帯状体５８０の閉合部５９６と帯状体６３０及び帯状体６４０の頂部６５０とを重ね合わされた領域において、外側の提げ手部材５５０の長手端縁（一方の長手端縁５５２及び他方の長手端縁５５４）の近傍及び内側の一方の支持部材６００の頂部６５０の近傍を縫合されて縫合部６６０を形成されている。
縫合部６６０は、肩掛け領域Ｂ１より延びた領域の提げ手部材５５０の一方の重ね合わせ領域５６２と支持部材６００の重ね合わせ領域６１０との重ね合わせ領域６１０及び提げ手部材５５０の他方の重ね合わせ領域５６４と支持部材６００の重ね合わせ領域６１０との重ね合わせ領域において、提げ手部材５５０一方の長手端縁５５２及び他方の長手端縁５５４に沿って、提げ手部材５５０の一方の長手端縁５５２及び他方の重ね合わせ領域５６４の近傍と支持部材６００の頂部６５０とを縫合されている。
支持部材６００の支持領域６１２は、重ね合わせ領域６１０と内側の支持部材６００がバッグ本体５１２の表面に取り付けられる固着領域６１４との間にあり、支持領域６１２の部分を縫合しないで、帯状体６３０及び帯状体６４０が幅方向における中央においてわん曲された状態の支持領域６１２を形成されている。
【０１１３】
前記内側の支持部材６００は、その一方端の重ね合わせ領域６１０を提げ手部材５５０の一方の重ね合わせ領域５６２及び他方の重ね合わせ領域５６４に取り付けられ、その他方端の固着領域６１４をバッグ本体５１２の外表面に取り付けられている。
この実施の形態においては、内側の支持部材６００は、その一方端の重ね合わせ領域６１０が、前胴部５２０の開口部５２８の近傍で襠部２２４を構成する左側の襠部５２４Ａ（右側の襠部２４Ｂ）の近傍の提げ手部材５５０の一方の重ね合わせ領域５６２及び他方の重ね合わせ領域５６４に縫合され、且つその他方端の固着領域６１４が、前胴部５２０の開口部５２８の近傍で襠部５２４を構成する右側の襠部５２４Ｂの近傍に縫合されている。
内側の支持部材６００は、それを構成する長尺帯状体（帯状体６３０及び帯状体６４０）の平坦な状態における固着領域６１４の裏面側を、バッグ本体５１２の外表面に接し合わせて縫合されている。
【０１１４】
内側の支持部材６００は、重ね合わせ領域６１０と外側の提げ手部材５５０の一方の重ね合わせ領域５６２及び他方の重ね合わせ領域５６４との間に、外側の提げ手部材５５０とバッグ本体５１２と接合されない非接合領域Ｂ４である支持領域６１２を形成されている。
内側の支持部材６００は、外側の提げ手部材５５０と縫合されていない非縫合領域Ｂ４の固着領域６１４の近傍側が、内側の支持部材６００を構成する長尺帯状体の平坦な状態の帯状体６３０及び帯状体６４０の態様である。
【０１１５】
外側の提げ手部材５５０は、肩掛け領域Ｂ１において、正面視Ｕ字状にわん曲されている。
前記外側の提げ手部材５５０は、前記内側の支持部材６００と重ね合わせられた一方の重ね合わせ領域５６２及び他方の重ね合わせ領域５６４からバッグ本体５１２の底方向に延びた、延長領域において、バッグ本体５１２の外表面との間に適宜な間隔を空けて、バッグ本体５１２の外側において取り付けられている。
外側の提げ手部材５５０は、内側の支持部材６００との接合領域Ｂ３である一方の重ね合わせ領域５６２及び他方の重ね合わせ領域５６４から延びた延長領域である一方の架設領域５６６及び他方の架設領域５６８において、バッグ本体５１２と接合する位置まで支持部材６００及びバッグ本体５１２と縫合されない非縫合領域Ｂ２を形成されている。
外側の提げ手部材５５０は、内側の支持部材６００と縫合されていない非縫合領域Ｂ２の一部（一方の重ね合わせ領域５６２及び他方の重ね合わせ領域５６４より下方の一方端及び他方端側の部分）が、外側の提げ手部材５５０を構成する長尺帯状体５８０の平坦な状態の帯状体の態様である。
【０１１６】
外側の提げ手部材５５０の延長領域における一方の固着領域５７０及び他方の固着領域５７２は、底部材５３２のバッグ本体５１２への接合領域の縁部から底部材５３２とバッグ本体５１２との間に挿入され、バッグ本体５１２の外表面及び／又はバッグ本体５１２の内表面に取り付けられている。
この実施の形態においては、外側の提げ手部材５５０は、その一方端の一方の固着領域５７０を、左側の襠部５２４Ａの近傍で底部材５３２と前胴部５２０との底部材接合領域５３４との間で、前胴部５２０及び底部材５３２に跨って縫合されている。
具体的には、底部材５３２と前胴部５２０とを底部材接合領域５３４で縫合するときに、前胴部５２０と底部材５３２との間に挟まれた外側の提げ手部材５５０の一方端の一方の固着領域５７０を縫合して、取り付けられている。
更に、その他方端の他方の固着領域５７２を、右側の襠部５２４Ｂの近傍で底部材５３２と前胴部５２０との底部材接合領域５３４との間で、前胴部５２０及び底部材５３２に跨って縫合されている。
具体的には、底部材５３２と前胴部５２０とを底部材接合領域５３４で縫合するときに、前胴部５２０と底部材５３２との間に挟まれた外側の提げ手部材５５０の他方端の固着領域５７２を縫合して、取り付けられている。
外側の提げ手部材５５０は、一方の固着領域５７０及び他方の固着領域５７２を構成する領域が、外側の提げ手部材５５０を構成する長尺帯状体５８０の平坦な状態における裏面側をバッグ本体５１２の外表面に接し合わせて縫合されている。
【０１１７】
外側の提げ手部材５５０は、縫合された接合領域Ｂ３である一方の重ね合わせ領域５６２及び他方の重ね合わせ領域５６４から延びた外側の提げ手部材５５０の延長領域において、内側の提げ手部材５５０の一方の固着領域５７０及び他方の固着領域５７２と接合されない非接合領域Ｂ４を形成されている。
外側の提げ手部材５５０は、内側の支持部材６００及びバッグ本体５１２と縫合されていない非接合領域Ｂ４が、外側の提げ手部材５５０を構成する長尺帯状体５８０の平坦な状態の帯状体の態様である。
外側の提げ手部材５５０の延長領域である非接合領域Ｂ４は、その内側とバッグ本体５１２の外表面との間における空所によって物品を挟持するための一方の架設領域５６６及び他方の架設領域５６８を形成されている。
【０１１８】
次に、前胴部５２０側に取り付けられた一方の（すなわち手前側の）第１提げ手部材５５０Ａと、後胴部５２２側に取り付けられた他方の（すなわち向こう側の）第２提げ手部材５５０Ｂとを、それぞれの頂上である頂上の肩掛け領域Ｂ１を構成するわん曲領域５６０において重ねて引っ着ける構造について説明する。
例えば、手提げ鞄５１０を左肩に掛けるときは、後胴部５２２を身体の胸側にし前胴部５２０を反対側にして、後胴部５２２に取り付けられた第２提げ手部材５５０Ｂを肩側すなわち下側にし、前胴部５２０に取り付けられた第１提げ手部材５５０Ａを先に肩に掛けられた第２提げ手部材５５０Ｂの上に重ねて、肩に掛けられる。第１提げ手部材５５０Ａの下側の膨大部５９４及び閉合部５９６と第２提げ手部材５５０Ｂの上側の膨大部５９２及び閉合部５９６とが重ね合わされる。
第１提げ手部材５５０Ａと第２提げ手部材５５０Ｂとが上下方向において重ねられる頂上の肩掛け領域Ｂ１には、第１提げ手部材５５０Ａと第２提げ手部材５５０Ｂとを引っ着けるための永久磁石片６８０と該永久磁石片６８０に引っ着く強磁性体片６９０とが、配設されている。
【０１１９】
磁石片６８０と磁性体片６９０とは、いずれも円盤状体であり、第１提げ手部材５５０Ａ及び第２提げ手部材５５０Ｂを構成する帯状体５８０が断面略Ｃ字型アーチ状に成型された内側に内蔵するように内設されている。
磁石片６８０及び磁性体片６９０は、提げ手部材５５０を構成する帯状体５８０との間に挟持されている。
【０１２０】
第１提げ手部材５５０Ａのわん曲領域５６０に内設された磁石片６８０は、アルニコ磁石、フェライト磁石、ネオジム磁石、サマリウムコバルト磁石などの永久磁石を円盤状に成形されてなるものであり、第１提げ手部材５５０Ａを肩掛けするに適した大きさを有する。具体的には、磁石片６８０は、直径１５〜２５ｍｍで、厚さ２〜３ｍｍである。
第２提げ手部材５５０Ｂのわん曲領域５６０に内設された磁性体片６９０は、鉄、コバルト、ニッケルなどの磁性体を円盤状に成型されてなるものであり、第２提げ手部材５５０Ｂを肩掛けするに適する大きさを有する。具体的には、磁性体片６９０は、直径１５〜２５ｍｍで、厚さ２〜３ｍｍである。
【０１２１】
第１提げ手部材５５０Ａに内設された磁石片６８０の平面と第２提げ手部材５５０Ｂに内設された磁性体片６９０の平面とは、向き合って、第１提げ手部材５５０Ａと第２提げ手部材５５０Ｂとが引っ着き易いように構成されている。
第１提げ手部材５５０Ａの磁石片６８０と第２提げ手部材５５０Ｂの磁性体片６９０とは、頂部５９０と一方の長手端縁５５２及び他方の長手端縁５５４との間において、磁石片６８０及び磁性体片６９０の径方向がのびるように、向き合う一方の膨大部５９２と他方の膨大部５９４との間に介装されている。磁石片６８０及び磁性体片６９０の厚さ方向は、向き合う一方の膨大部５９２と他方の膨大部５９４とが向き合う方向にのびる。
而して、第１提げ手部材５５０Ａの磁石片６８０と第２提げ手部材５５０Ｂの磁性体片６９０とは、第１提げ手部材５５０Ａと第２提げ手部材５５０Ｂを重ねたとき、磁石片６８０の平面部と磁性体片６９０の平面部とが略々平行になる。
【０１２２】
次に、磁石片６８０及び磁性体片６９０を、第１提げ手部材５５０Ａに内装する方法について説明する。
長手方向を有する帯状の提げ手部材５５０を形成する、革又は布帛からなる長手方向を有する帯状体５８０及び布帛等の弾力性を有する弾力性材５８２を準備するとともに、磁石片６８０及び磁性体片６９０を準備する。
帯状体５８０の内側面に弾力性材５８２を重ね合わせる。
提げ手部材５５０は、革又は布帛からなる帯状体５８０を、帯状の革又は布帛の両長手縁の近傍を内側に折り重ね、折り重ねた部分を縫合又は貼着してなる。
帯状体５８０は、折り重ねた部分を対向させ、貼り合わせて一枚の提げ手部材５５０を成形するように構成されている。
【０１２３】
帯状体５８０は、両長手端縁すなわち一方の長手端縁５５２と他方の長手端縁５５４とを合わせて、断面略Ｃ字型アーチ状に成形する。
提げ手部材５５０は、わん曲領域５６０と、重ね合わせ領域（一方の重ね合わせ領域５６２及び他方の重ね合わせ領域５６４）と、前記架設領域（一方の架設領域５６６及び他方の架設領域５６８）の前記重ね合わせ領域に続く近傍とを、断面略Ｃ字型アーチ状に形成するが、その前に磁石片６８０を、わん曲領域５６０に置ける膨大部５９２と膨大部５９４との間に配設する。
磁性体片６９０も、同様に第２提げ手部材５５０Ｂを構成する帯状体５８０のわん曲領域５６０における膨大部５９２と膨大部５９４との間に配設する。
そのとき、磁石片６８０は、帯状体５８０に重ねられた弾力性材５８２の内側に配設される。磁石片６８０は、帯状体５８０と弾力性材５８２との間に配設されてもよい。
一方、磁性体片６９０は、帯状体５８０に重ねられた弾力性材５８２の内側に配設される。磁石片６９０は、帯状体５８０と弾力性材５８２との間に配設されてもよい。
次に、わん曲領域５６０と他方の重ね合わせ領域５６４とを、一方の長手端縁５５２及び他方の長手端縁５５４の近傍において縫合する。
提げ手部材５５０は、帯状体５８０の幅方向における中央において、折り重ねた部分を内側にしてわん曲させ、一方の長手端縁５５２と他方の長手端縁５５４とを閉じ合わせ、一方の長手端縁５５２及び他方の長手端縁５５４より内側を外側方向すなわち折り重ね部分とは反対に膨出させるようにわん曲させて、一方の長手端縁５５２と他方の長手端縁５５４とを縫合してなる閉合部５９６と、一方の長手端縁５５２及び他方の長手端縁５５４に続く膨大部５９２及び膨大部５９４と、頂部５９０とを形成される。
【０１２４】
バッグ本体５１２は、提げ手部材５５０の内側に、バッグ本体５１２の内側に設けたポケット（図示せず）の開口部を設けられている。該ポケット開口部６７０には、ポケットファスナ６７２が設けられている。該ポケット開口部６７０及びポケットファスナ６７２は、提げ手部材５５０により覆われ、保護されている。
【０１２５】
次に、バッグの提げ手の取り付け方法について、主として図３３ないし図３７に基づいて説明する。
【０１２６】
長手方向を有する帯状の提げ手部材５５０を形成する、革又は布帛からなる長手方向を有する帯状体５８０を準備する。
提げ手部材５５０は、革又は布帛からなる帯状体５８０を、帯状の革又は布帛の両長手縁の近傍を内側に折り重ね、折り重ねた部分を縫合又は貼着してなる。
帯状体５８０は、折り重ねた部分を対向させ、貼り合わせて一枚の提げ手部材５５０を成形するように構成されている。
【０１２７】
帯状体５８０は、両長手端縁すなわち一方の長手端縁５５２と他方の長手端縁５５４とを合わせて、断面略Ｃ字型アーチ状に成形する。
提げ手部材５５０は、わん曲領域５６０と、重ね合わせ領域（一方の重ね合わせ領域５６２及び他方の重ね合わせ領域５６４）と、前記架設領域（一方の架設領域５６６及び他方の架設領域５６８）の前記重ね合わせ領域に続く近傍とを、断面略Ｃ字型アーチ状に形成する。
わん曲領域５６０と他方の重ね合わせ領域５６４とを、一方の長手端縁５５２及び他方の長手端縁５５４の近傍において縫合する。
提げ手部材５５０は、帯状体５８０の幅方向における中央において、折り重ねた部分を内側にしてわん曲させ、一方の長手端縁５５２と他方の長手端縁５５４とを閉じ合わせ、一方の長手端縁５５２及び他方の長手端縁５５４より内側を外側方向すなわち折り重ね部分とは反対に膨出させるようにわん曲させて、一方の長手端縁５５２と他方の長手端縁５５４とを縫合してなる閉合部５９６と、一方の長手端縁５５２及び他方の長手端縁５５４に続く膨大部５９２及び膨大部５９４と、頂部５９０とを形成する。（提げ手部材成形ステップ）
【０１２８】
次に、前記提げ手部材５５０の、一方の架設領域５６６及び他方の架設領域５６８における帯状体の両長手端縁の間すなわち一方の長手端縁５５２と他方の長手端縁５５４との間に、一方の架設領域５６６及び他方の架設領域５６８のそれぞれに、支持部材６００を介装する。
支持部材６００は、バッグ本体５１２より上方に向けて提げ手部材５５０を立ち上げるために、提げ手部材５５０の一方の重ね合わせ領域５６２及び他方の重ね合わせ領域５６４に沿って一方の重ね合わせ領域５６２と他方の重ね合わせ領域５６４との間に介装する。（支持部材介装ステップ）
【０１２９】
前記支持部材６００を形成する、革又は布帛からなる長手方向を有する帯状体６３０及び６４０は、少なくともその上部が両長手端縁（一方の長手端縁６０２及び他方の長手端縁６０４）を合わせて断面略Ｃ字型アーチ状に成形された重ね合わせ領域６１０と、該重ね合わせ領域６１０より下方にのびる支持領域６１２と、該支持領域６１２より下方に形成された固着領域６１４とを備えている。
【０１３０】
前記支持部材６００は、重ね合わせ領域６１０の両手長手端縁すなわち一方の長手端縁６０２及び他方の長手端縁６０４を、断面略Ｃ字型アーチ状に成形された提げ手部材５５０の両長手端縁の間すなわち一方の長手端縁５５２と他方の長手端縁５５４との間に介装する。
【０１３１】
提げ手部材５５０の頂部５９０とは反対側に支持部材６００の頂部６５０が位置するように対向して、支持部材６００の重ね合わせ領域６１０と提げ手部材５５０の重ね合わせ領域（一方の重ね合わせ領域５６２及び他方の重ね合わせ領域５６４）とを縫合して支持部材６００を提げ手部材５５０に連結する。（支持部材連結ステップ）
【０１３２】
帯状体６３０及び帯状体６４０は、帯状の革又は布帛の両長手縁の近傍を内側に折り重ね、折り重ねた部分を貼着してなる。
帯状体６３０と帯状体６４０とは、折り重ねた部分を対向させ、貼り合わせて一枚の支持部材６００を成形するように、構成されている。
支持部材６００は、帯状体６３０及び帯状体６４０の幅方向における中央において、帯状体６４０を内側にしてわん曲させ、一方の長手端縁６０２と他方の長手端縁６０４とを閉じ合わせ、一方の長手端縁６０２と他方の長手端縁６０４より内側を外側方向すなわち帯状体６３０側に膨出させるようにわん曲させて、一方の長手端縁６０２と他方の長手端縁６０４とを縫合してなる閉合部６５６と、一方の長手端縁６０２及び他方の長手端縁６０４に続く膨大部６５２及び膨大部６５４と、帯状体６３０及び帯状体６４０が幅方向における中央においてわん曲された状態の支持領域６１２の頂部６５０とを形成する。（支持部材成形ステップ）
【０１３３】
外側の提げ手部材５５０と内側の支持部材６００とを、帯状体５８０の閉合部５９６と帯状体６３０及び帯状体６４０の頂部６５０とを重ね合わされた領域において、外側の提げ手部材５５０の長手端縁（一方の長手端縁５５２及び他方の長手端縁５５４）の近傍及び内側の一方の支持部材６００の頂部６５０の近傍を縫合して縫合部６６０を形成する。
提げ領域Ａ１より延びた領域における提げ手部材５５０の一方の重ね合わせ領域５６２と支持部材６００の重ね合わせ領域６１０との重ね合わせ領域及び提げ手部材５５０の他方の重ね合わせ領域５６４と支持部材６００の重ね合わせ領域６１０との重ね合わせ領域において、提げ手部材５５０の一方の長手端縁５５２及び他方の長手端縁５５４に沿って、提げ手部材５５０の一方の長手端縁５５２及び他方の重ね合わせ領域５６４の近傍と支持部材６００の頂部６５０とを縫合して、縫合部６６０を形成する。
【０１３４】
次に、前記支持部材６００を、支持領域６１２が少なくとも前記重ね合わせ領域６１０の近傍においては断面略Ｃ字型ないしは略Ｕ字型アーチ状に成形し、支持領域６１２より下方の固着領域６１４において、バッグ本体５１２に固着する。（支持部材の固着ステップ）
【０１３５】
次に、前記提げ手部材５５０を、バッグ本体５１２に固着された前記支持部材６００の固着領域６１４より下方にのばし、提げ手部材５５０の固着領域（一方の固着領域５７０及び他方の固着領域５７２）においてバッグ本体５１２に固着する。（提げ手部材の固着ステップ）
【０１３６】
支持部材６００の支持領域６１２は、重ね合わせ領域６１０と内側の支持部材６００がバッグ本体５１２の表面に取り付けられる固着領域６１４との間にあり、支持領域６１２の部分を縫合しないで、帯状体６３０及び帯状体６４０が幅方向における中央においてわん曲された状態の支持領域６１２を形成する。
【０１３７】
前記内側の支持部材６００の一方端の重ね合わせ領域６１０を提げ手部材５５０の一方の重ね合わせ領域５６２及び他方の重ね合わせ領域５６４に取り付け、その他方端の固着領域６１４をバッグ本体５１２の外表面に取り付ける。
この実施の形態においては、内側の支持部材６００の一方端の重ね合わせ領域６１０を、前胴部５２０の開口部５２８の近傍で襠部５２４を構成する左側の襠部５２４Ａ（右側の襠部５２４Ｂ）の近傍の提げ手部材５５０の一方の重ね合わせ領域５６２及び他方の重ね合わせ領域５６４に縫合し、且つその他方端の固着領域６１４を、前胴部５２０の開口部５２８の近傍で襠部５２４を構成する右側の襠部５２４Ｂの近傍に縫合する。
内側の支持部材６００を構成する長尺帯状体（帯状体６３０及び帯状体６４０）の平坦な状態における固着領域６１４の裏面側を、バッグ本体５１２の外表面に接し合わせて縫合する。
而して、本発明のバッグの提げ手５１４の提げ手部材５５０を支持する構造を備えたバッグを形成できる。
【０１３８】
上記実施形態の構成態様は、本発明を限定するものとして挙げたものではなく、本発明の思想に基づき変更は可能であり、本発明はそのような変更を含むものである。
【符号の説明】
【０１３９】
１０，２１０  手提げ鞄
１２，２１２  バッグ本体
１４，２１４  提げ手
２０，２２０  前胴部
２２，２２２  後胴部
２４，２２４  襠部
２４Ａ，２２４Ａ左側の襠部
２４Ｂ，２２４Ｂ右側の襠部
２６，２２６底部
２８，２２８開口部
３０，２３０ファスナ
３２，２３２底部材
３４，２３４底部材接合領域
５０，２５０  提げ手部材
５０Ａ  第１提げ手部材
５０Ｂ  第２提げ手部材
５２，２５２，１０２，３０２  一方の長手端縁
５４，２５４，１０４，３０４  他方の長手端縁
６０，２６０  わん曲領域
６２，２６２一方の重ね合わせ領域
６４，２６４他方の重ね合わせ領域
６６，２６６一方の架設領域
６８，２６８他方の架設領域
７０，２７０  一方の固着領域
７２，２７２  他方の固着領域
８０，２８０  帯状体
９２，９４，１５２，１５４，２９２，２９４，３５２，３５４  膨大部
９０，１５０，２９０，３５０  頂部
９６，１５６，２９６，３５６  閉合部
１００，３００支持部材
１１０，３１０重ね合わせ領域
１１２，３１２支持領域
１１４，３１４固着領域
１３０，１４０，３３０，３４０  帯状体
１６０，３６０  縫合部
５１０  手提げ鞄
５１２  バッグ本体
５１４  提げ手
５２０  前胴部
５２２  後胴部
５２４  襠部
５２４Ａ  左側の襠部
５２４Ｂ  右側の襠部
５２６  底部
５２８  開口部
５３０  ファスナ
５３２  底部材
５３４  底部材接合領域
５５０  提げ手部材
５５０Ａ  第１提げ手部材
５５０Ｂ  第２提げ手部材
５５２  一方の長手端縁
５５４  他方の長手端縁
５６０  わん曲領域
５６２  一方の重ね合わせ領域
５６４  他方の重ね合わせ領域
５６６  一方の架設領域
５６８  他方の架設領域
５７０  一方の固着領域
５７２  他方の固着領域
５８０  帯状体
５８２  弾力性材
５８２ａ  一方の長手端縁
５８２ｂ  他方の長手端縁
５９２，５９４，６５２，６５４  膨大部
５９０，６５０  頂部
５９６，６５６  閉合部
６００  支持部材
６０２  一方の長手端縁
６０４  他方の長手端縁
６１０  重ね合わせ領域
６１２  支持領域
６１４  固着領域
６３０，６４０  帯状体
６６０  縫合部
６７０  ポケット開口部
６７２  ポケットファスナ
６８０  磁石片
６９０  磁性体片
Ａ１  提げ領域
Ａ２  非縫合領域
Ａ３  接合領域
Ａ４  非接合領域
Ｂ１  肩掛け領域
Ｂ２  非縫合領域
Ｂ３  接合領域
Ｂ４  非接合領域
【図１】
0005996104.tif 000002
【図２】
0005996104.tif 000003
【図３】
0005996104.tif 000004
【図４】
0005996104.tif 000005
【図５】
0005996104.tif 000006
【図６】
0005996104.tif 000007
【図７】
0005996104.tif 000008
【図８】
0005996104.tif 000009
【図９】
0005996104.tif 000010
【図１０】
0005996104.tif 000011
【図１１】
0005996104.tif 000012
【図１２】
0005996104.tif 000013
【図１３】
0005996104.tif 000014
【図１４】
0005996104.tif 000015
【図１５】
0005996104.tif 000016
【図１６】
0005996104.tif 000017
【図１７】
0005996104.tif 000018
【図１８】
0005996104.tif 000019
【図１９】
0005996104.tif 000020
【図２０】
0005996104.tif 000021
【図２１】
0005996104.tif 000022
【図２２】
0005996104.tif 000023
【図２３】
0005996104.tif 000024
【図２４】
0005996104.tif 000025
【図２５】
0005996104.tif 000026
【図２６】
0005996104.tif 000027
【図２７】
0005996104.tif 000028
【図２８】
0005996104.tif 000029
【図２９】
0005996104.tif 000030
【図３０】
0005996104.tif 000031
【図３１】
0005996104.tif 000032
【図３２】
0005996104.tif 000033
【図３３】
0005996104.tif 000034
【図３４】
0005996104.tif 000035
【図３５】
0005996104.tif 000036
【図３６】
0005996104.tif 000037
【図３７】
0005996104.tif 000038
【図３８】
0005996104.tif 000039
【図３９】
0005996104.tif 000040
【図４０】
0005996104.tif 000041
【図４１】
0005996104.tif 000042
【図４２】
0005996104.tif 000043
【図４３】
0005996104.tif 000044
【図４４】
0005996104.tif 000045